(57)【要約】  本発明の実施例は、同期方法、同期装置及び同期ソースを提供する。当該方法は、同期装置は、同期信号を送信する少なくとも一つの同期ソースを確定することと、少なくとも一つの同期ソースが少なくとも一つの第１の同期ソースを含む場合、各々の第１の同期ソースの同期信号の選択方式に基づいて、同期装置は、ターゲット同期ソースを選択することと、同期装置はターゲット同期ソースと同期することとを含み、ここで、第１の同期ソースの同期信号の選択方式が、第１の方式又は第２の方式を含み、第１の方式が、第１の優先度順序に基づいて同期信号を選択する方式であり、第２の方式が、第２の優先度順序に基づいて同期信号を選択する方式であり、ここで、第１の優先度順序が、同期信号とセルラーネットワークとの相関性に基づいて、同期信号に対して順序付けたものであり、第２の優先度順序が、同期信号と衛星システムとの相関性に基づいて、同期信号に対して順序付けたものである。本発明の実施例は、衛星システムとセルラーネットワークとへの互換性を備えさせることができ、同期装置の同期を実現する。
2019512899.tif 000002
【特許請求の範囲】
【請求項１】
同期方法であって、
同期装置は、同期信号を送信する少なくとも一つの同期ソースを確定することと、
前記少なくとも一つの同期ソースが、少なくとも一つの第１の同期ソースを含む場合、各々の前記第１の同期ソースの同期信号の選択方式に基づいて、前記少なくとも一つの第１の同期ソースから、前記同期装置は、ターゲット同期ソースを選択することと、
前記同期装置は、前記ターゲット同期ソースと同期することと、
を含み、
ここで、前記第１の同期ソースの同期信号の選択方式が、第１の方式又は第２の方式を含み、前記第１の方式が、第１の優先度順序に基づいて同期信号を選択する方式であり、前記第２の方式が、第２の優先度順序に基づいて同期信号を選択する方式であり、ここで、前記第１の優先度順序が、同期信号とセルラーネットワークとの相関性に基づいて、同期信号に対して順序付けたものであり、前記第２の優先度順序が、同期信号と衛星システムとの相関性に基づいて、同期信号に対して順序付けたものである、
ことを特徴とする前記同期方法。
【請求項２】
第１の優先度順序は、
直接のネットワークデバイスからの同期信号＞ネットワークデバイスと直接同期する端末デバイスからの同期信号＞ネットワークデバイスと間接的に同期する端末デバイスからの同期信号、を含む、
ことを特徴とする請求項１に記載の同期方法。
【請求項３】
第２の優先度順序は、
直接の衛星システムからの同期信号＞衛星システムと直接同期する端末デバイスからの同期信号＞衛星システムと間接的に同期する端末デバイスからの同期信号、を含む、
ことを特徴とする請求項１又は２に記載の同期方法。
【請求項４】
第１の同期シーケンスは、前記衛星システムと直接同期する端末デバイスからの同期信号を含み、ここで、前記第１の同期シーケンスが、前記第１の同期シーケンスを送信する端末デバイスが衛星システムと直接同期することを示し、又は、前記第１の同期シーケンスを送信する端末デバイスが、ブロードキャスト信号を介して、自身が衛星システムと直接同期することを示すためにさらに用いられ、及び／又は、
第２の同期シーケンスは、前記衛星システムと間接的に同期する端末デバイスからの同期信号を含み、ここで、前記第２の同期シーケンスが、前記第２の同期シーケンスを送信する端末デバイスが衛星システムと間接的に同期することを示し、又は、前記第２の同期シーケンスを送信する端末デバイスが、ブロードキャスト信号を介して、自身が衛星システムと間接的に同期することを示すためにさらに用いられる、
ことを特徴とする請求項３に記載の同期方法。
【請求項５】
前記同期装置がセルラーネットワークのカバレッジ範囲内に位置しておらず、しかも衛星信号を受信することが可能であり、
前記少なくとも一つの第１の同期ソースから、前記同期装置が、ターゲット同期ソースを選択することは、
前記少なくとも一つの第１の同期ソースの同期信号の選択方式が同じであるか否かを確定することと、
前記少なくとも一つの第１の同期ソースの同期信号の選択方式が同じであるか否かに基づいて、前記少なくとも一つの第１の同期ソースから、前記ターゲット同期ソースを選択することと、
を含む、
ことを特徴とする請求項１乃至４のいずれか１項に記載の同期方法。
【請求項６】
前記少なくとも一つの第１の同期ソースの同期信号の選択方式が同じであるか否かに基づいて、前記少なくとも一つの第１の同期ソースから、前記ターゲット同期ソースを選択することは、
各々の前記第１の同期ソースの同期信号の選択方式が同じである場合、前記同期装置は、第３の優先度順序に基づいて前記ターゲット同期ソースを選択すること、を含み、
ここで、前記第３の優先度順序が、
セルラーネットワークと衛星システムと同時に同期する同期ソース＞衛星システムと同期する同期ソース＞ネットワークデバイスと同期する同期ソース、を含む、
ことを特徴とする請求項５に記載の同期方法。
【請求項７】
前記少なくとも一つの第１の同期ソースの同期信号の選択方式が同じであるか否かに基づいて、前記少なくとも一つの第１の同期ソースから、前記ターゲット同期ソースを選択することは、
前記少なくとも一つの第１の同期ソースの同期信号の選択方式が同じではない場合、前記同期装置は、第４の優先度順序に基づいて、前記ターゲット同期ソースを選択することを含み、
ここで、前記第４の優先度順序が、
前記第１の方式によって同期信号を選択し、しかもネットワークデバイスと衛星システムと同時に同期する同期ソース＞前記第２の方式によって同期信号を選択し、しかもネットワークデバイスと衛星システムと同時に同期する同期ソース＞前記第２の方式によって同期信号を選択し、しかも衛星システムと同期する同期ソース＞前記第１の方式によって同期信号を選択し、しかもネットワークデバイスと同期する同期ソース、を含む、
ことを特徴とする請求項５に記載の同期方法。
【請求項８】
前記第１の同期ソースの信号強度は第１の閾値以上である、
ことを特徴とする請求項５乃至７のいずれか１項に記載の同期方法。
【請求項９】
前記少なくとも一つの同期ソースが前記第１の同期ソースを含まない場合、前記同期装置は衛星システムと同期すること、をさらに含む、
ことを特徴とする請求項８に記載の同期方法。
【請求項１０】
前記同期装置がセルラーネットワークのカバレッジ範囲内に位置しておらず、しかも衛星信号を受信することが不可能であり、
前記少なくとも一つの第１の同期ソースから、前記同期装置が、ターゲット同期ソースを選択することは、
前記少なくとも一つの第１の同期ソースの同期信号の選択方式が同じであるか否かを確定することと、
前記少なくとも一つの第１の同期ソースの同期信号の選択方式が同じであるか否かに基づいて、前記少なくとも一つの第１の同期ソースから、前記ターゲット同期ソースを選択することと、
を含む、
ことを特徴とする請求項１乃至４のいずれか１項に記載の同期方法。
【請求項１１】
前記第１の同期ソースの同期信号の選択方式が同じであるか否かに基づいて、前記少なくとも一つの第１の同期ソースから、前記ターゲット同期ソースを選択することは、
前記少なくとも一つの第１の同期ソースの同期信号の選択方式が同じである場合、前記同期装置は、第５の優先度順序に基づいて、前記ターゲット同期ソースを選択することを含み、
ここで、前記第５の優先度順序が、
ネットワークデバイスと衛星システムと同時に同期する同期ソース＞ネットワークデバイスと同期する同期ソース＞衛星システムと同期する同期ソースを含む、
ことを特徴とする請求項１０に記載の同期方法。
【請求項１２】
前記少なくとも一つの第１の同期ソースの同期信号の選択方式が同じであるか否かに基づいて、前記少なくとも一つの第１の同期ソースから、前記ターゲット同期ソースを選択することは、
前記少なくとも一つの第１の同期ソースの同期信号の選択方式が同じではない場合、前記同期装置は、第６の優先度順序に基づいて、前記ターゲット同期ソースを選択することを含み、
ここで、前記第６の優先度順序は、
前記第１の方式によって同期信号を選択し、しかもネットワークデバイスと衛星システムと同時に同期する同期ソース＞前記第１の方式によって同期信号を選択し、しかもネットワークデバイスと同期する同期ソース＞前記第２の方式によって同期信号を選択し、しかもネットワークデバイスと衛星システムと同時に同期する同期ソース＞前記第２の方式によって同期信号を選択し、しかも衛星システムと同期する同期ソースを含む、
ことを特徴とする請求項１０又は１１に記載の同期方法。
【請求項１３】
前記第１の同期ソースの信号強度は第２の閾値以上である、
ことを特徴とする請求項１０乃至１２のいずれか１項に記載の同期方法。
【請求項１４】
前記少なくとも一つの同期ソースが前記第１の同期ソースを含まず、且つ少なくとも一つの第２の同期ソースを含む場合、前記同期装置は、第７の優先度順序に基づいて、前記ターゲット同期ソースを選択することをさらに含み、前記第２の同期ソースの信号強度が第２の閾値より小さく且つ第３の閾値以上であり、
ここで、前記第７の優先度順序が、
衛星システムと同期する同期ソース＞衛星システムとネットワークデバイスのいずれも同期しない同期ソースを含む、
ことを特徴とする請求項１３に記載の同期方法。
【請求項１５】
前記衛星システムは全地球航法衛星システムＧＮＳＳであり、前記同期装置は車載デバイスである、
ことを特徴とする請求項１乃至１４のいずれか１項に記載の同期方法。
【請求項１６】
前記少なくとも一つの同期ソースは、ネットワークデバイス、端末デバイス、及び衛星システムのうちの少なくとも一つを含む、
ことを特徴とする請求項１乃至１５のいずれか１項に記載の同期方法。
【請求項１７】
同期方法であって、
同期装置は、ネットワークデバイスから送信された指示情報を受信することと、
前記同期装置は、前記指示情報に基づいて、ターゲット同期ソースを選択することと、を含み、
前記指示情報が、前記同期装置が同期ソースを選択する方式を示すために用いられ、前記方式が、第１の方式又は第２の方式又は第３の方式であり、
前記第１の方式が、第１の優先度順序に基づいて同期信号を選択する方式であり、前記第２の方式が、第２の優先度順序に基づいて同期信号を選択する方式であり、前記第３の方式が、第１の優先度順序と第２の優先度順序とに基づいて同期信号を選択する方式であり、ここで、前記第１の優先度順序が、同期信号とセルラーネットワークとの相関性に基づいて、同期信号に対して順序付けたものであり、前記第２の優先度順序が、同期信号と衛星システムとの相関性に基づいて、同期信号に対して順序付けたものである、
ことを特徴とする前記同期方法。
【請求項１８】
前記同期装置が、前記指示情報に基づいて、ターゲット同期ソースを選択することは、
前記指示情報に前記第１の方式が示される時に、前記同期装置がセルラーネットワーク信号と相関する同期信号が受信できない場合、前記同期装置は、第２の方式に基づいてターゲット同期ソースを選択すること、又は
前記指示情報に前記第２の方式が示される時に、前記同期装置が、衛星システムと相関する同期信号が受信できない場合、前記同期装置は、第１の方式に基づいてターゲット同期ソースを選択すること、
を含む、
ことを特徴とする請求項１７に記載の同期方法。
【請求項１９】
前記同期装置がセルラーネットワーク信号と相関する同期信号が受信できない場合、前記同期装置が、第２の方式に基づいてターゲット同期ソースを選択することは、前記同期装置が、第１の予め設定された時間内でセルラーネットワーク信号と相関する同期信号が受信されていない場合、前記同期装置は、前記第２の方式に基づいてターゲット同期ソースを選択することを含み、又は、
前記同期装置が、衛星システムと相関する同期信号が受信できない場合、前記同期装置は、第１の方式に基づいてターゲット同期ソースを選択することは、前記同期装置が、第２の予め設定された時間内で衛星システムと相関する同期信号が受信されない場合、前記同期装置は、第１の方式に基づいてターゲット同期ソースを選択することを含む、
ことを特徴とする請求項１８に記載の同期方法。
【請求項２０】
前記第１の優先度順序は、
直接のネットワークデバイスからの同期信号＞ネットワークデバイスと直接同期する端末デバイスからの同期信号＞ネットワークデバイスと間接的に同期する端末デバイスからの同期信号、を含む、
ことを特徴とする請求項１９に記載の同期方法。
【請求項２１】
第２の優先度順序は、
衛星システムに生成された同期信号＞衛星システムと直接同期する端末デバイスからの同期信号＞衛星システムと間接的に同期する端末デバイスからの同期信号、を含む、
ことを特徴とする請求項１９又は２０に記載の同期方法。
【請求項２２】
前記第３の方式において、
前記第１の優先度順序内の同期信号の優先度は、前記第２の優先度順序内の同期信号の優先度より高く、又は
前記第２の優先度順序内の同期信号の優先度は、前記第１の優先度順序内の同期信号の優先度より高い、
ことを特徴とする請求項１７乃至２１のいずれか１項に記載の同期方法。
【請求項２３】
同期方法であって、
同期ソースは、同期信号の取得のための方式を確定することと、
確定した同期信号の取得のための方式に基づいて、前記同期ソースは第１の同期信号を取得することと、
前記同期ソースは、前記第１の同期信号に基づいて同期することと、
前記同期ソースは、第２の同期信号と指示情報とを送信することと、
を含み、
同期ソースの同期信号の取得方式が、第１の方式又は第２の方式を含み、前記第１の方式が、第１の優先度順序に基づいて同期信号を選択する方式であり、前記第２の方式が、第２の優先度順序に基づいて同期信号を選択する方式であり、ここで、前記第１の優先度順序が、同期信号とセルラーネットワークとの相関性に基づいて、同期信号に対して順序付けたものであり、前記第２の優先度順序が、同期信号と衛星システムとの相関性に基づいて、同期信号に対して順序付けたものであり、
ここで、前記指示情報が、前記同期ソースの第１の同期信号の取得方式を示すために用いられる、
ことを特徴とする前記同期方法。
【請求項２４】
前記同期ソースが同期信号と指示情報とを送信することは、
第１の同期シーケンスによって実現される第２の同期信号を送信することと、
ブロードキャスト情報を送信することと、を含み、
前記ブロードキャスト情報が前記指示情報を示すために用いられる、
ことを特徴とする請求項２３に記載の同期方法。
【請求項２５】
前記同期ソースは衛星システムと直接同期するデバイスであり、前記第１の同期シーケンスは、前記同期ソースにより送信される前記第２の同期信号を含むシーケンスであり、又は
前記同期ソースは衛星システムと間接的に同期するデバイスであり、前記第１の同期シーケンスは、前記同期ソースにより送信される前記第２の同期信号を含むシーケンスである、
ことを特徴とする請求項２４に記載の同期方法。
【請求項２６】
前記同期ソースが同期信号と指示情報とを送信することは、
第２の同期シーケンスを送信することを含み、
前記第２の同期シーケンスが前記第２の同期信号と前記指示情報とを含む、
ことを特徴とする請求項２３に記載の同期方法。
【請求項２７】
前記同期ソースは衛星システムと直接同期するデバイスであり、前記第２の同期シーケンスは、前記同期ソースにより送信される前記第２の同期信号を含むシーケンスであり、又は
前記同期ソースは衛星システムと間接的に同期するデバイスであり、前記第２の同期シーケンスは、前記同期ソースにより送信される前記第２の同期信号を含むシーケンスである、
ことを特徴とする請求項２６に記載の同期方法。
【請求項２８】
前記第１の優先度順序は、
直接のネットワークデバイスからの同期信号＞ネットワークデバイスと直接同期する端末デバイスからの同期信号＞ネットワークデバイスと間接的に同期する端末デバイスからの同期信号、を含む、
ことを特徴とする請求項２３乃至２７のいずれか１項に記載の同期方法。
【請求項２９】
前記第２の優先度順序は、
衛星システムに生成された同期信号＞衛星システムと直接同期する端末デバイスからの同期信号＞衛星システムと間接的に同期する端末デバイスからの同期信号、を含む、
ことを特徴とする請求項２３乃至２８のいずれか１項に記載の同期方法。
【請求項３０】
同期ソースが同期信号の取得のための方式を確定することは、
ネットワークデバイスの指示に基づいて、前記同期ソースは、同期信号の取得のための方式を確定することを含む、
ことを特徴とする請求項２３乃至２９のいずれか１項に記載の同期方法。
【請求項３１】
同期装置であって、確定ユニット、選択ユニット、及び同期ユニットを含み、
前記確定ユニットは、同期信号を送信する少なくとも一つの同期ソースを確定するように構成され、
前記選択ユニットは、前記少なくとも一つの同期ソースが、少なくとも一つの第１の同期ソースを含む場合、各々の前記第１の同期ソースの同期信号の選択方式に基づいて、前記少なくとも一つの第１の同期ソースから、ターゲット同期ソースを選択するように構成され、ここで、前記第１の同期ソースの同期信号の選択方式が、第１の方式又は第２の方式を含み、前記第１の方式が、第１の優先度順序に基づいて同期信号を選択する方式であり、前記第２の方式が、第２の優先度順序に基づいて同期信号を選択する方式であり、ここで、前記第１の優先度順序が、同期信号とセルラーネットワークとの相関性に基づいて、同期信号に対して順序付けたものであり、前記第２の優先度順序が、同期信号と衛星システムとの相関性に基づいて、同期信号に対して順序付けたものであり、
前記同期ユニットは、前記ターゲット同期ソースと同期するように構成される、
ことを特徴とする前記同期装置。
【請求項３２】
第１の優先度順序は、
直接のネットワークデバイスからの同期信号＞ネットワークデバイスと直接同期する端末デバイスからの同期信号＞ネットワークデバイスと間接的に同期する端末デバイスからの同期信号、を含む、
ことを特徴とする請求項３１に記載の同期装置。
【請求項３３】
第２の優先度順序は、
直接の衛星システムからの同期信号＞衛星システムと直接同期する端末デバイスからの同期信号＞衛星システムと間接的に同期する端末デバイスからの同期信号、を含む、
ことを特徴とする請求項３１又は３２に記載の同期装置。
【請求項３４】
第１の同期シーケンスは、前記衛星システムと直接同期する端末デバイスからの同期信号を含み、ここで、前記第１の同期シーケンスが、前記第１の同期シーケンスを送信する端末デバイスが衛星システムと直接同期することを示し、又は、前記第１の同期シーケンスを送信する端末デバイスが、ブロードキャスト信号を介して、自身が衛星システムと直接同期することを示すためにさらに用いられ、及び／又は、
第２の同期シーケンスは、前記衛星システムと間接的に同期する端末デバイスからの同期信号を含み、ここで、前記第２の同期シーケンスが、前記第２の同期シーケンスを送信する端末デバイスが衛星システムと間接的に同期することを示し、又は、前記第２の同期シーケンスを送信する端末デバイスが、ブロードキャスト信号を介して、自身が衛星システムと間接的に同期することを示すためにさらに用いられる、
ことを特徴とする請求項３３に記載の同期装置。
【請求項３５】
前記同期装置がセルラーネットワークのカバレッジ範囲内に位置しておらず、しかも衛星信号を受信することが可能であり、
前記選択ユニットは、具体的に、
前記少なくとも一つの第１の同期ソースの同期信号の選択方式が同じであるか否かを確定し、
前記少なくとも一つの第１の同期ソースの同期信号の選択方式が同じであるか否かに基づいて、前記少なくとも一つの第１の同期ソースから、前記ターゲット同期ソースを選択するように構成される、
ことを特徴とする請求項３１乃至３４のいずれか１項に記載の同期装置。
【請求項３６】
前記選択ユニットは、具体的に、
各々の前記第１の同期ソースの同期信号の選択方式が同じである場合、第３の優先度順序に基づいて前記ターゲット同期ソースを選択するように構成され、
ここで、前記第３の優先度順序が、
セルラーネットワークと衛星システムと同時に同期する同期ソース＞衛星システムと同期する同期ソース＞ネットワークデバイスと同期する同期ソース、を含む、
ことを特徴とする請求項３５に記載の同期装置。
【請求項３７】
前記選択ユニットは、具体的に、
前記少なくとも一つの第１の同期ソースの同期信号の選択方式が同じではない場合、第４の優先度順序に基づいて、前記ターゲット同期ソースを選択するように構成され、
ここで、前記第４の優先度順序が、
前記第１の方式によって同期信号を選択し、しかもネットワークデバイスと衛星システムと同時に同期する同期ソース＞前記第２の方式によって同期信号を選択し、しかもネットワークデバイスと衛星システムと同時に同期する同期ソース＞前記第２の方式によって同期信号を選択し、しかも衛星システムと同期する同期ソース＞前記第１の方式によって同期信号を選択し、しかもネットワークデバイスと同期する同期ソースを含む、
ことを特徴とする請求項３５に記載の同期装置。
【請求項３８】
前記第１の同期ソースの信号強度は第１の閾値以上である、
ことを特徴とする請求項３５乃至３７のいずれか１項に記載の同期装置。
【請求項３９】
前記同期ユニットは、
前記少なくとも一つの同期ソースが前記第１の同期ソースを含まない場合、衛星システムと同期するようにさらに構成される、
ことを特徴とする請求項３８に記載の同期装置。
【請求項４０】
前記同期装置がセルラーネットワークのカバレッジ範囲内に位置しておらず、しかも衛星信号を受信することが不可能であり、
前記選択ユニットは、具体的に、
前記少なくとも一つの第１の同期ソースの同期信号の選択方式が同じであるか否かを確定し、
前記少なくとも一つの第１の同期ソースの同期信号の選択方式が同じであるか否かに基づいて、前記少なくとも一つの第１の同期ソースから、前記ターゲット同期ソースを選択するように構成される、
ことを特徴とする請求項３１乃至３４のいずれか１項に記載の同期装置。
【請求項４１】
前記選択ユニットは、具体的に、
前記少なくとも一つの第１の同期ソースの同期信号の選択方式が同じである場合、第５の優先度順序に基づいて前記ターゲット同期ソースを選択するように構成され、
ここで、前記第５の優先度順序は、
ネットワークデバイスと衛星システムと同時に同期する同期ソース＞ネットワークデバイスと同期する同期ソース＞衛星システムと同期する同期ソース、を含む、
ことを特徴とする請求項４０に記載の同期装置。
【請求項４２】
前記選択ユニットは、具体的に、
前記少なくとも一つの第１の同期ソースの同期信号の選択方式が同じではない場合、第６の優先度順序に基づいて、前記ターゲット同期ソースを選択するように構成され、
ここで、前記第６の優先度順序は、
前記第１の方式によって同期信号を選択し、しかもネットワークデバイスと衛星システムと同時に同期する同期ソース＞前記第１の方式によって同期信号を選択し、しかもネットワークデバイスと同期する同期ソース＞前記第２の方式によって同期信号を選択し、しかもネットワークデバイスと衛星システムと同時に同期する同期ソース＞前記第２の方式によって同期信号を選択し、しかも衛星システムと同期する同期ソースを含む、
ことを特徴とする請求項４０又は４１に記載の同期装置。
【請求項４３】
前記第１の同期ソースの信号強度は第２の閾値以上である、
ことを特徴とする請求項４０乃至４２のいずれか１項に記載の同期装置。
【請求項４４】
前記選択ユニットは、
前記少なくとも一つの同期ソースが前記第１の同期ソースを含まず、且つ少なくとも一つの第２の同期ソースを含む場合、第７の優先度順序に基づいて、前記ターゲット同期ソースを選択するようにさらに構成され、前記第２の同期ソースの信号強度が第２の閾値より小さく且つ第３の閾値以上であり、
ここで、前記第７の優先度順序は、
衛星システムと同期する同期ソース＞衛星システムとネットワークデバイスのいずれも同期しない同期ソース、を含む、
ことを特徴とする請求項４３に記載の同期装置。
【請求項４５】
前記衛星システムは全地球航法衛星システムＧＮＳＳであり、前記同期装置は車載デバイスである、
ことを特徴とする請求項３１乃至４４のいずれか１項に記載の同期装置。
【請求項４６】
前記少なくとも一つの同期ソースは、ネットワークデバイス、端末デバイス、及び衛星システムのうちの少なくとも一つを含む、
ことを特徴とする請求項３１乃至４５のいずれか１項に記載の同期装置。
【請求項４７】
同期装置であって、受信ユニットと選択ユニットを含み、
前記受信ユニットは、ネットワークデバイスより送信された指示情報を受信するために構成され、前記指示情報が、前記同期装置が同期ソースを選択する方式を示すために用いられ、前記方式が、第１の方式又は第２の方式又は第３の方式であり、
前記第１の方式が、第１の優先度順序に基づいて同期信号を選択する方式であり、前記第２の方式が、第２の優先度順序に基づいて同期信号を選択する方式であり、前記第３の方式が、第１の優先度順序と第２の優先度順序とに基づいて同期信号を選択する方式であり、ここで、前記第１の優先度順序が、同期信号とセルラーネットワークとの相関性に基づいて、同期信号に対して順序付けたものであり、前記第２の優先度順序が、同期信号と衛星システムとの相関性に基づいて、同期信号に対して順序付けたものであり、
前記選択ユニットは、前記指示情報に基づいて、ターゲット同期ソースを選択するように構成される、
ことを特徴とする前記同期装置。
【請求項４８】
前記選択ユニットは、具体的に、
前記指示情報に前記第１の方式が示される時に、前記受信ユニットがセルラーネットワーク信号と相関する同期信号が受信できない場合、前記選択ユニットが第２の方式に基づいて、ターゲット同期ソースを選択し、又は
前記指示情報に前記第２の方式が示される時に、前記受信ユニットが衛星システムと相関する同期信号が受信できない場合、前記選択ユニットが第１の方式に基づいて、ターゲット同期ソースを選択するように構成される、
ことを特徴とする請求項４７に記載の同期装置。
【請求項４９】
前記選択ユニットは、具体的に、
前記受信ユニットが第１の予め設定された時間内でセルラーネットワーク信号と相関する同期信号が受信できない場合、前記第２の方式に基づいて、ターゲット同期ソースを選択し、又は、
前記受信ユニットが第２の予め設定された時間内で衛星システムと相関する同期信号が受信できない場合、第１の方式に基づいてターゲット同期ソースを選択するように構成される、
ことを特徴とする請求項４８に記載の同期装置。
【請求項５０】
前記第１の優先度順序は、
直接のネットワークデバイスからの同期信号＞ネットワークデバイスと直接同期する端末デバイスからの同期信号＞ネットワークデバイスと間接的に同期する端末デバイスからの同期信号、を含む、
ことを特徴とする請求項４９に記載の同期装置。
【請求項５１】
第２の優先度順序は、
衛星システムに生成された同期信号＞衛星システムと直接同期する端末デバイスからの同期信号＞衛星システムと間接的に同期する端末デバイスからの同期信号、を含む、
ことを特徴とする請求項４９又は５０に記載の同期装置。
【請求項５２】
前記第３の方式において、
前記第１の優先度順序内の同期信号の優先度は、前記第２の優先度順序内の同期信号の優先度より高く、又は
前記第２の優先度順序内の同期信号の優先度は、前記第１の優先度順序内の同期信号の優先度より高い、
ことを特徴とする請求項４７乃至５１のいずれか１項に記載の同期装置。
【請求項５３】
同期ソースであって、確定ユニット、取得ユニット、同期ユニット、及び送信ユニットを含み、
前記確定ユニットは、取得ユニットが同期信号を取得するための方式を確定するように構成され、取得ユニットの同期信号の取得方式が、第１の方式又は第２の方式を含み、前記第１の方式が、第１の優先度順序に基づいて同期信号を選択する方式であり、前記第２の方式が、第２の優先度順序に基づいて同期信号を選択する方式であり、ここで、前記第１の優先度順序が、同期信号とセルラーネットワークとの相関性に基づいて、同期信号に対して順序付けたものであり、前記第２の優先度順序が、同期信号と衛星システムとの相関性に基づいて、同期信号に対して順序付けたものであり、
前記取得ユニットは、前記確定ユニットで確定された同期信号の取得のための方式に基づいて、第１の同期信号を取得するように構成され、
前記同期ユニットは、前記第１の同期信号に基づいて同期するように構成され、
前記送信ユニットは、第２の同期信号と指示情報とを送信するように構成され、ここで、前記指示情報が、前記同期ソースの第１の同期信号の取得方式を示すために用いられる、
ことを特徴とする前記同期ソース。
【請求項５４】
前記送信ユニットは、具体的に、
第１の同期シーケンスによって実現される第２の同期信号を送信し、
ブロードキャスト情報を送信するように構成され、
前記ブロードキャスト情報が前記指示情報を示すために用いられる、
ことを特徴とする請求項５３に記載の同期ソース。
【請求項５５】
前記同期ソースは衛星システムと直接同期するデバイスであり、前記第１の同期シーケンスは、前記送信ユニットにより送信される前記第２の同期信号を含むシーケンスであり、又は
前記同期ソースは衛星システムと間接的に同期するデバイスであり、前記第１の同期シーケンスは、前記送信ユニットにより送信される前記第２の同期信号を含むシーケンスである、
ことを特徴とする請求項５４に記載の同期ソース。
【請求項５６】
前記送信ユニットは、具体的に、
第２の同期シーケンスを送信するように構成され、前記第２の同期シーケンスが前記第２の同期信号と前記指示情報とを含む、
ことを特徴とする請求項５３に記載の同期ソース。
【請求項５７】
前記同期ソースは衛星システムと直接同期するデバイスであり、前記第２の同期シーケンスは、前記送信ユニットにより送信される前記第２の同期信号を含むシーケンスであり、又は
前記同期ソースは衛星システムと間接的に同期するデバイスであり、前記第２の同期シーケンスは、前記送信ユニットにより送信される前記第２の同期信号を含むシーケンスである、
ことを特徴とする請求項５６に記載の同期ソース。
【請求項５８】
前記第１の優先度順序は、
直接のネットワークデバイスからの同期信号＞ネットワークデバイスと直接同期する端末デバイスからの同期信号＞ネットワークデバイスと間接的に同期する端末デバイスからの同期信号、を含む、
ことを特徴とする請求項５３乃至５７のいずれか１項に記載の同期ソース。
【請求項５９】
前記第２の優先度順序は、
衛星システムに生成された同期信号＞衛星システムと直接同期する端末デバイスからの同期信号＞衛星システムと間接的に同期する端末デバイスからの同期信号、を含む、
ことを特徴とする請求項５３乃至５８のいずれか１項に記載の同期ソース。
【請求項６０】
前記確定ユニットは、具体的に、
ネットワークデバイスの指示に基づいて、同期信号の取得のための方式を確定するように構成される、
ことを特徴とする請求項５３乃至５９のいずれか１項に記載の同期ソース。
【発明の詳細な説明】
【技術分野】
【０００１】
本発明は通信分野に関し、特に同期方法、同期装置、及び同期ソースに関する。
【背景技術】
【０００２】
３ＧＰＰ  Ｒｅｌｅａｓｅ−１２＆１３において、デバイスは、セルラーネットワークの同期を利用して、デバイス間の通信（Ｄ２Ｄ：Ｄｅｖｉｃｅ  ｔｏ  Ｄｅｖｉｃｅ）の同期を実現する。セルラーネットワークにカバレッジされていないシーンにおいて、セルラーネットワークエッジに位置するデバイスによって周囲に同期信号（ｓｙｎｃｈｒｏｎｉｚａｔｉｏｎ  ｓｉｇｎａｌ）を伝送する方法を使用して、ネットワークにカバレッジされていないデバイスの同期を支援することができる。
【０００３】
Ｄ２Ｄ通信への衛星システムの導入に伴い、如何に同期を行うかは、早急な解決の待たれる問題である。
【発明の概要】
【０００４】
本発明の実施例は、同期方法、同期装置、及び同期ソースを提供し、衛星システムとセルラーネットワークとへの互換性を備えさせることができ、同期装置の同期を実現する。
【０００５】
第１の態様において、同期方法を提供し、
同期装置は、同期信号を送信する少なくとも一つの同期ソースを確定することと、
前記少なくとも一つの同期ソースが、少なくとも一つの第１の同期ソースを含む場合、各々の前記第１の同期ソースの同期信号の選択方式に基づいて、前記少なくとも一つの第１の同期ソースから、前記同期装置は、ターゲット同期ソースを選択することと、
前記同期装置は、前記ターゲット同期ソースと同期することと、
を含み、
ここで、前記第１の同期ソースの同期信号の選択方式が、第１の方式又は第２の方式を含み、前記第１の方式が、第１の優先度順序に基づいて同期信号を選択する方式であり、前記第２の方式が、第２の優先度順序に基づいて同期信号を選択する方式であり、ここで、前記第１の優先度順序が、同期信号とセルラーネットワークとの相関性に基づいて、同期信号に対して順序付けたものであり、前記第２の優先度順序が、同期信号と衛星システムとの相関性に基づいて、同期信号に対して順序付けたものである。
【０００６】
第１の態様を結合し、第１の態様の第１の可能な実現形態において、第１の優先度順序は、直接のネットワークデバイスからの同期信号＞ネットワークデバイスと直接同期する端末デバイスからの同期信号＞ネットワークデバイスと間接的に同期する端末デバイスからの同期信号を含む。
【０００７】
第１の態様又はそれの上記のいずれか一つの可能な実現形態を結合し、第１の態様の第２の可能な実現形態において、第２の優先度順序直接の衛星システムからの同期信号＞衛星システムと直接同期する端末デバイスからの同期信号＞衛星システムと間接的に同期する端末デバイスからの同期信号を含む。
【０００８】
第１の態様又はそれの上記のいずれか一つの可能な実現形態を結合し、第１の態様の第３の可能な実現形態において、第１の同期シーケンスは、前記衛星システムと直接同期する端末デバイスからの同期信号を含み、
ここで、前記第１の同期シーケンスが、前記第１の同期シーケンスを送信する端末デバイスが衛星システムと直接同期することを示し、又は、前記第１の同期シーケンスを送信する端末デバイスが、ブロードキャスト信号を介して、自身が衛星システムと直接同期することを示すためにさらに用いられ、
及び／又は、
第２の同期シーケンスは、前記衛星システムと間接的に同期する端末デバイスからの同期信号を含み、
ここで、前記第２の同期シーケンスが、前記第２の同期シーケンスを送信する端末デバイスが衛星システムと間接的に同期することを示し、又は、前記第２の同期シーケンスを送信する端末デバイスが、ブロードキャスト信号を介して、自身が衛星システムと間接的に同期することを示すためにさらに用いられる。
【０００９】
第１の態様又はそれの上記のいずれか一つの可能な実現形態を結合し、第１の態様の第４の可能な実現形態において、前記同期装置がセルラーネットワークのカバレッジ範囲内に位置しておらず、且つ衛星信号が受信できる時に、前記少なくとも一つの第１の同期ソースから、前記同期装置がターゲット同期ソースを選択することは、前記少なくとも一つの第１の同期ソースの同期信号の選択方式が同じであるか否かを確定することと、前記少なくとも一つの第１の同期ソースの同期信号の選択方式が同じであるか否かに基づいて、前記少なくとも一つの第１の同期ソースから、前記ターゲット同期ソースを選択することとを含む。
【００１０】
第１の態様又はそれの上記のいずれか一つの可能な実現形態を結合し、第１の態様の第５の可能な実現形態において、前記同期装置がセルラーネットワークのカバレッジ範囲内に位置しておらず、且つ衛星信号が受信できる時に、各々の前記第１の同期ソースの同期信号の選択方式が同じである場合、前記同期装置は、第３の優先度順序に基づいて前記ターゲット同期ソースを選択し、ここで、前記第３の優先度順序は、セルラーネットワークと衛星システムと同時に同期する同期ソース＞衛星システムと同期する同期ソース＞ネットワークデバイスと同期する同期ソースを含む。
【００１１】
第１の態様又はそれの上記のいずれか一つの可能な実現形態を結合し、第１の態様の第６の可能な実現形態において、前記同期装置がセルラーネットワークのカバレッジ範囲内に位置しておらず、且つ衛星信号が受信できる時に、前記少なくとも一つの第１の同期ソースの同期信号の選択方式が同じではない場合、前記同期装置は、第４の優先度順序に基づいて、前記ターゲット同期ソースを選択し、ここで、前記第４の優先度順序は、前記第１の方式によって同期信号を選択し、しかもネットワークデバイスと衛星システムと同時に同期する同期ソース＞前記第２の方式によって同期信号を選択し、しかもネットワークデバイスと衛星システムと同時に同期する同期ソース＞前記第２の方式によって同期信号を選択し、しかも衛星システムと同期する同期ソース＞前記第１の方式によって同期信号を選択し、しかもネットワークデバイスと同期する同期ソースを含む。
【００１２】
第１の態様又はそれの上記のいずれか一つの可能な実現形態を結合し、第１の態様の第７の可能な実現形態において、前記第１の同期ソースの信号強度は第１の閾値以上である。
【００１３】
第１の態様又はそれの上記のいずれか一つの可能な実現形態を結合し、第１の態様の第８の可能な実現形態において、前記少なくとも一つの同期ソースが前記第１の同期ソースを含まない場合、前記同期装置は衛星システムと同期する。
【００１４】
第１の態様又はそれの上記のいずれか一つの可能な実現形態を結合し、第１の態様の第９の可能な実現形態において、前記同期装置がセルラーネットワークのカバレッジ範囲内に位置しておらず、且つ衛星信号が受信できない時に、前記少なくとも一つの第１の同期ソースから、前記同期装置は、ターゲット同期ソースを選択することは、前記少なくとも一つの第１の同期ソースの同期信号の選択方式が同じであるか否かを確定することと、前記少なくとも一つの第１の同期ソースの同期信号の選択方式が同じであるか否かに基づいて、前記少なくとも一つの第１の同期ソースから、前記ターゲット同期ソースを選択することとを含む。
【００１５】
第１の態様又はそれの上記のいずれか一つの可能な実現形態を結合し、第１の態様の第１０の可能な実現形態において、前記同期装置がセルラーネットワークのカバレッジ範囲内に位置しておらず、且つ衛星信号が受信できない時に、前記少なくとも一つの第１の同期ソースの同期信号の選択方式が同じである場合、前記同期装置は、第５の優先度順序に基づいて、前記ターゲット同期ソースを選択し、ここで、前記第５の優先度順序は、ネットワークデバイスと衛星システムと同時に同期する同期ソース＞ネットワークデバイスと同期する同期ソース＞衛星システムと同期する同期ソースを含む。
【００１６】
第１の態様又はそれの上記のいずれか一つの可能な実現形態を結合し、第１の態様の第１１の可能な実現形態において、前記同期装置がセルラーネットワークのカバレッジ範囲内に位置しておらず、且つ衛星信号が受信できない時に、前記少なくとも一つの第１の同期ソースの同期信号の選択方式が同じではない場合、前記同期装置は、第６の優先度順序に基づいて、前記ターゲット同期ソースを選択し、ここで、前記第６の優先度順序は、前記第１の方式によって同期信号を選択し、しかもネットワークデバイスと衛星システムと同時に同期する同期ソース＞前記第１の方式によって同期信号を選択し、しかもネットワークデバイスと同期する同期ソース＞前記第２の方式によって同期信号を選択し、しかもネットワークデバイスと衛星システムと同時に同期する同期ソース＞前記第２の方式によって同期信号を選択し、しかも衛星システムと同期する同期ソースを含む。
【００１７】
第１の態様又はそれの上記のいずれか一つの可能な実現形態を結合し、第１の態様の第１２の可能な実現形態において、前記第１の同期ソースの信号強度は第２の閾値以上である。
【００１８】
第１の態様又はそれの上記のいずれか一つの可能な実現形態を結合し、第１の態様の第１３の可能な実現形態において、前記同期装置がセルラーネットワークのカバレッジ範囲内に位置しておらず、且つ衛星信号が受信できない時に、前記少なくとも一つの同期ソースが前記第１の同期ソースを含まず、且つ少なくとも一つの第２の同期ソースを含む場合、前記同期装置は、第７の優先度順序に基づいて、前記ターゲット同期ソースを選択し、前記第２の同期ソースの信号強度が第２の閾値より小さく且つ第３の閾値以上であり、ここで、前記第７の優先度順序は、衛星システムと同期する同期ソース＞衛星システムとネットワークデバイスのいずれも同期しない同期ソースを含む。
【００１９】
第１の態様又はそれの上記のいずれか一つの可能な実現形態を結合し、第１の態様の第１４の可能な実現形態において、前記衛星システムは全地球航法衛星システムＧＮＳＳであり、前記同期装置は車載デバイスである。
【００２０】
第１の態様又はそれの上記のいずれか一つの可能な実現形態を結合し、第１の態様の第１５の可能な実現形態において、前記少なくとも一つの同期ソースは、ネットワークデバイス、端末デバイス、及び衛星システムのうちの少なくとも一つを含む。
【００２１】
第２の態様において、同期方法を提供し、同期装置は、ネットワークデバイスから送信された指示情報を受信することと、前記同期装置は、前記指示情報に基づいて、ターゲット同期ソースを選択することと、を含み、
前記指示情報が、前記同期装置が同期ソースを選択する方式を示すために用いられ、前記方式が、第１の方式又は第２の方式又は第３の方式であり、前記第１の方式が、第１の優先度順序に基づいて同期信号を選択する方式であり、前記第２の方式が、第２の優先度順序に基づいて同期信号を選択する方式であり、前記第３の方式が、第１の優先度順序と第２の優先度順序とに基づいて同期信号を選択する方式であり、ここで、前記第１の優先度順序が、同期信号とセルラーネットワークとの相関性に基づいて、同期信号に対して順序付けたものであり、前記第２の優先度順序が、同期信号と衛星システムとの相関性に基づいて、同期信号に対して順序付けたものである。
【００２２】
第２の態様を結合し、第２の態様の第１の可能な実現形態において、前記同期装置は、前記指示情報に基づいて、ターゲット同期ソースを選択することは、前記指示情報に前記第１の方式が示される時に、前記同期装置がセルラーネットワーク信号と相関する同期信号が受信できない場合、前記同期装置は、第２の方式に基づいてターゲット同期ソースを選択すること、又は、前記指示情報に前記第２の方式が示される時に、前記同期装置が、衛星システムと相関する同期信号が受信できない場合、前記同期装置は、第１の方式に基づいてターゲット同期ソースを選択することを含む。
【００２３】
第２の態様又はそれの上記のいずれか一つの可能な実現形態を結合し、第２の態様の第２の可能な実現形態において、前記同期装置が、第１の予め設定された時間内でセルラーネットワーク信号と相関する同期信号が受信されていない場合、前記同期装置は、前記第２の方式に基づいてターゲット同期ソースを選択し、又は、
前記同期装置が、第２の予め設定された時間内で衛星システムと相関する同期信号が受信されない場合、前記同期装置は、第１の方式に基づいてターゲット同期ソースを選択する。
【００２４】
第２の態様又はそれの上記のいずれか一つの可能な実現形態を結合し、第２の態様の第３の可能な実現形態において、前記第１の優先度順序は、直接のネットワークデバイスからの同期信号＞ネットワークデバイスと直接同期する端末デバイスからの同期信号＞ネットワークデバイスと間接的に同期する端末デバイスからの同期信号を含む。
【００２５】
第２の態様又はそれの上記のいずれか一つの可能な実現形態を結合し、第２の態様の第４の可能な実現形態において、第２の優先度順序は、衛星システムに生成された同期信号＞衛星システムと直接同期する端末デバイスからの同期信号＞衛星システムと間接的に同期する端末デバイスからの同期信号を含む。
【００２６】
第２の態様又はそれの上記のいずれか一つの可能な実現形態を結合し、第２の態様の第５の可能な実現形態において、前記第３の方式において、前記第１の優先度順序内の同期信号の優先度は、前記第２の優先度順序内の同期信号の優先度より高く、又は前記第２の優先度順序内の同期信号の優先度は、前記第１の優先度順序内の同期信号の優先度より高い。
【００２７】
第３の態様において、同期方法を提供し、
同期ソースは、同期信号の取得のための方式を確定することと、確定した同期信号の取得のための方式に基づいて、前記同期ソースは第１の同期信号を取得することと、前記同期ソースは、前記第１の同期信号に基づいて同期することと、前記同期ソースは第２の同期信号と指示情報とを送信することと、
を含み、
同期ソースの同期信号の取得方式が、第１の方式又は第２の方式を含み、前記第１の方式が、第１の優先度順序に基づいて同期信号を選択する方式であり、前記第２の方式が、第２の優先度順序に基づいて同期信号を選択する方式であり、ここで、前記第１の優先度順序が、同期信号とセルラーネットワークとの相関性に基づいて、同期信号に対して順序付けたものであり、前記第２の優先度順序が、同期信号と衛星システムとの相関性に基づいて、同期信号に対して順序付けたものであり、
ここで、前記指示情報が、前記同期ソースの第１の同期信号の取得方式を示すために用いられる。
【００２８】
第３の態様を結合し、第３の態様の第１の可能な実現形態において、前記同期ソースが同期信号と指示情報とを送信することは、第１の同期シーケンスによって実現される第２の同期信号を送信することと、ブロードキャスト情報を送信することと、を含み、前記ブロードキャスト情報が前記指示情報を示すために用いられる。
【００２９】
第３の態様又はそれの上記のいずれか一つの可能な実現形態を結合し、第３の態様の第２の可能な実現形態において、前記同期ソースは衛星システムと直接同期するデバイスであり、前記第１の同期シーケンスは、前記同期ソースにより送信される前記第２の同期信号を含むシーケンスであり、又は、前記同期ソースは衛星システムと間接的に同期するデバイスであり、前記第１の同期シーケンスは、前記同期ソースにより送信される前記第２の同期信号を含むシーケンスである。
【００３０】
第３の態様又はそれの上記のいずれか一つの可能な実現形態を結合し、第３の態様の第３の可能な実現形態において、前記同期ソースが同期信号と指示情報とを送信することは、第２の同期シーケンスを送信することを含み、前記第２の同期シーケンスが前記第２の同期信号と前記指示情報とを含む。
【００３１】
第３の態様又はそれの上記のいずれか一つの可能な実現形態を結合し、第３の態様の第４の可能な実現形態において、前記同期ソースは衛星システムと直接同期するデバイスであり、前記第２の同期シーケンスは、前記同期ソースにより送信される前記第２の同期信号を含むシーケンスであり、又は、前記同期ソースは衛星システムと間接的に同期するデバイスであり、前記第２の同期シーケンスは、前記同期ソースにより送信される前記第２の同期信号を含むシーケンスである。
【００３２】
第３の態様又はそれの上記のいずれか一つの可能な実現形態を結合し、第３の態様の第５の可能な実現形態において、前記第１の優先度順序は、直接のネットワークデバイスからの同期信号＞ネットワークデバイスと直接同期する端末デバイスからの同期信号＞ネットワークデバイスと間接的に同期する端末デバイスからの同期信号を含む。
【００３３】
第３の態様又はそれの上記のいずれか一つの可能な実現形態を結合し、第３の態様の第６の可能な実現形態において、前記第２の優先度順序は、衛星システムに生成された同期信号＞衛星システムと直接同期する端末デバイスからの同期信号＞衛星システムと間接的に同期する端末デバイスからの同期信号を含む。
【００３４】
第３の態様又はそれの上記のいずれか一つの可能な実現形態を結合し、第３の態様の第７の可能な実現形態において、同期ソースは、同期信号の取得のための方式を確定することは、ネットワークデバイスの指示に基づいて、前記同期ソースは、同期信号の取得のための方式を確定することを含む。
【００３５】
第３の態様において、端末デバイスを提供し、上記の第１の態様又は第１の態様のいずれの選択可能な実現形態の方法を実施するように構成される。具体的に、当該端末デバイスは、上記の第１の態様又は第１の態様のいずれの可能な実現形態の方法を実施するためのモジュールユニットを含む。
【００３６】
第４の態様において、同期装置を提供し、上記の第１の態様又は第１の態様のいずれの選択可能な実現形態の方法を実施するように構成される。具体的に、当該同期装置は、上記の第１の態様又は第１の態様のいずれの可能な実現形態の方法を実施するためのモジュールユニットを含む。
【００３７】
第５の態様において、同期装置を提供し、上記の第２の態様又は第２の態様のいずれの選択可能な実現形態の方法を実施するように構成される。具体的に、当該同期装置は、上記の第２の態様又は第２の態様のいずれの可能な実現形態の方法を実施するためのモジュールユニットを含む。
【００３８】
第６の態様において、同期ソースを提供し、上記の第３の態様又は第３の態様のいずれの選択可能な実現形態の方法を実施するように構成される。具体的に、当該同期ソースは、上記の第３の態様又は第３の態様のいずれの可能な実現形態の方法を実施するためのモジュールユニットを含む。
【００３９】
第７の態様において、同期装置を提供し、記憶装置とプロセッサとを含み、当該記憶装置は命令を記憶するように構成され、当該プロセッサは当該記憶装置に記憶される命令を実行するように構成され、当該プロセッサが当該記憶装置に記憶される命令を実行する時に、当該実行は、当該プロセッサに、第１の態様又は第１の態様のいずれの選択可能な実現形態の方法を実施させる。
【００４０】
第８の態様において、同期装置を提供し、記憶装置とプロセッサとを含み、当該記憶装置は命令を記憶するように構成され、当該プロセッサは当該記憶装置に記憶される命令を実行するように構成され、当該プロセッサが当該記憶装置に記憶される命令を実行する時に、当該実行は、当該プロセッサに、第２の態様又は第２の態様のいずれの選択可能な実現形態の方法を実施させる。
【００４１】
第９の態様において、同期ソースを提供し、記憶装置とプロセッサとを含み、当該記憶装置は命令を記憶するように構成され、当該プロセッサは当該記憶装置に記憶される命令を実行するように構成され、当該プロセッサが当該記憶装置に記憶される命令を実行する時に、当該実行は、当該プロセッサに、第３の態様又は第３の態様のいずれの選択可能な実現形態の方法を実施させる。
【００４２】
第１０の態様、コンピュータ記憶媒体を提供し、当該コンピュータ記憶媒体にプログラムコードが記憶されており、当該プログラムコードが上記の第１の態様又は第１の態様のいずれの選択可能な実現形態の方法を実行するように指示するために用いられる。
【００４３】
第１１の態様、コンピュータ記憶媒体を提供し、当該コンピュータ記憶媒体にプログラムコードが記憶されており、当該プログラムコードが上記の第２の態様又は第２の態様のいずれの選択可能な実現形態の方法を実行するように指示するために用いられる。
【００４４】
第１２の態様、コンピュータ記憶媒体を提供し、当該コンピュータ記憶媒体にプログラムコードが記憶されており、当該プログラムコードが上記の第３の態様又は第３の態様のいずれの選択可能な実現形態の方法を実行するように指示するために用いられる。
【図面の簡単な説明】
【００４５】
【図１】本発明の実施例による同期方法の概略的なフローチャートである。
【図２】本発明の実施例による同期方法の概略的なフローチャートである。
【図３】本発明の実施例による同期方法の概略的なフローチャートである。
【図４】本発明の実施例による同期装置の概略的なブロック図である。
【図５】本発明の実施例による同期装置の概略的なブロック図である。
【図６】本発明の実施例による同期ソースの概略的なブロック図である。
【図７】本発明の実施例による同期装置の概略的なブロック図である。
【図８】本発明の実施例による同期装置の概略的なブロック図である。
【図９】本発明の実施例による同期ソースの概略的なブロック図である。
【発明を実施するための形態】
【００４６】
より明確に本発明の実施例を説明するために、上記において、実施例または先行技術の説明で必要となる図面を簡単に説明し、明らかに、上記に記載されている図面は、単なる本発明の幾つかの実施例に過ぎず、当業者にとって、創造的な労力を払わない前提で、これらの図面に基づいてその他の図面が得ることができる。
【００４７】
下記において、本発明の実施例の図面を結合し、本発明の実施例の技術案を明確的、全面的に説明し、当然、説明されている実施例は、本発明の一部の実施例に過ぎず、全ての実施例ではない。本発明の実施例に基づいて、当業者は、創造的な労力を払わずに得られた全てのその他の実施例は、本発明の範囲内である。
【００４８】
理解すべきこととして、本発明の実施例における技術案は、様々な通信システム、例えばグローバル移動体通信（ＧＳＭ：Ｇｌｏｂａｌ  Ｓｙｓｔｅｍ  ｏｆ  Ｍｏｂｉｌｅ  Ｃｏｍｍｕｎｉｃａｔｉｏｎ）システム、符号分割多元接続（ＣＤＭＡ：Ｃｏｄｅ  Ｄｉｖｉｓｉｏｎ  Ｍｕｌｔｉｐｌｅ  Ａｃｃｅｓｓ）システム、広帯域符号分割多元接続（ＷＣＤＭＡ：Ｗｉｄｅｂａｎｄ  Ｃｏｄｅ  Ｄｉｖｉｓｉｏｎ  Ｍｕｌｔｉｐｌｅ  Ａｃｃｅｓｓ）汎用パケット無線サービス（ＧＰＲＳ：Ｇｅｎｅｒａｌ  Ｐａｃｋｅｔ  Ｒａｄｉｏ  Ｓｅｒｖｉｃｅ）システム、ロング・ターム・エボリューション（ＬＴＥ：Ｌｏｎｇ  Ｔｅｒｍ  Ｅｖｏｌｕｔｉｏｎ）システム、進化型ロング・ターム・エボリューション（ＬＴＥ−Ａ：Ａｄｖａｎｃｅｄ  ｌｏｎｇ  ｔｅｒｍ  ｅｖｏｌｕｔｉｏｎ）システム、ユニバーサル移動通信システム（ＵＭＴＳ：Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）、５Ｇ等に適用することができる。
【００４９】
幾つかの実施例において、Ｄ２Ｄ通信は、車両対車両（Ｖ２Ｖ：Ｖｅｈｉｃｌｅ  ｔｏ  Ｖｅｈｉｃｌｅ）通信、又はＶ２Ｘ通信と指しても良い。Ｖ２Ｘ通信において、Ｘは、任意の無線受信と送信の能力を有するデバイスを広く指すことができ、例えば、ゆっくりと移動する無線装置、快速に移動する車載デバイス、又は無線送受信能力を有するネットワーク制御ノードであるが、それらに限らない。当然、本発明の実施例は、端末とセルラーネットワークと通信には適用するが、Ｄ２Ｄ通信に適用しなくても良い。
【００５０】
本発明の実施例において、ネットワークデバイスは、ＧＳＭ又はＣＤＭＡの基地局（ＢＴＳ：Ｂａｓｅ  Ｔｒａｎｓｃｅｉｖｅｒ  Ｓｔａｔｉｏ）であっても良く、ＷＣＤＭＡの基地局（ＮｏｄｅＢ）であっても良く、ＬＴＥの進化型基地局（ｅＮＢ又はｅ−ＮｏｄｅＢ：ｅｖｏｌｖｅｄ  Ｎｏｄｅ  Ｂ）であっても良く、５Ｇのアクセスサービスを提供するデバイスであっても良く、本発明の実施例は、限定しない。
【００５１】
本発明の実施例において、衛星システムは、全地球航法衛星システム（ＧＮＳＳ：Ｇｌｏｂａｌ  Ｎａｖｉｇａｔｉｏｎ  Ｓａｔｅｌｌｉｔｅ  Ｓｙｓｔｅｍ）であっても良い。
【００５２】
図１は、本発明の実施例による同期方法１００の概略的なフローチャートである。当該方法は、同期ソース＃１によって実現することができる。
【００５３】
１１０において、同期ソースは、同期信号の取得のための方式を確定する。
【００５４】
ここで、同期ソースの同期信号の選択方式が、第１の方式又は第２の方式を含み、当該第１の方式が、第１の優先度順序に基づいて同期信号を選択する方式であり、当該第２の方式が、第２の優先度順序に基づいて同期信号を選択する方式であり、ここで、当該第１の優先度順序は、同期信号とセルラーネットワーク信号との相関性に基づいて、同期信号に対して順序付けたものであり、当該第２の優先度順序は、同期信号と衛星システムとの相関性に基づいて、同期信号に対して順序付けたものである。
【００５５】
選択肢として、当該第１の優先度順序は、直接のネットワークデバイスからの同期信号＞ネットワークデバイスと直接同期するデバイスからの同期信号＞ネットワークデバイスと間接的に同期するデバイスからの同期信号を含む。ここで、ネットワークデバイスと間接的に同期するデバイスは、当該デバイスがネットワークデバイスの同期信号を間接的に獲得することができ、例えば、ネットワークエッジにおけるデバイスによって提供される同期信号であり、当該ネットワークエッジにおけるデバイスに提供される同期信号は、ネットワークデバイスから直接受信された同期信号に基づくものである。
【００５６】
当該第１の優先度順序の中で、セルラーネットワークから直接獲得する同期信号ほど、優先度が高い。同期信号が毎回転送される時に、一定の誤差が累計され、転送の回数が多ければ多いほど、累計される同期誤差が大きくなり、同期の精度も劣るためであり、そのため、セルラーネットワークから直接獲得する同期信号ほど、優先度が高い。
【００５７】
選択肢として、当該第２の優先度順序は、衛星信号＞衛星システムと直接同期するデバイスからの同期信号＞衛星システムと間接的に同期するデバイスからの同期信号を含む。
【００５８】
ここで、衛星システムと間接的に同期するデバイスは、当該同期ソースが衛星システムと直接同期することができず、衛星信号と直接同期するデバイスから送信される同期信号を取得するデバイスである。
【００５９】
当該第２の優先度順序の中で、衛星システムから直接獲得する同期信号ほど、優先度が高い。同期信号が毎回転送される時に、一定の誤差が累計され、転送の回数が多ければ多いほど、累計される同期誤差が大きくなり、同期の精度も劣るためであり、そのため、衛星システムから直接獲得する同期信号ほど、優先度が高い。
【００６０】
選択肢として、同期ソースは、ネットワークデバイスの指示に基づいて、同期信号の取得のための方式を確定することができる。
【００６１】
１２０において、確定した同期信号の取得のための方式に基づいて、第１の同期信号を取得する。
【００６２】
１３０において、当該第１の同期信号に基づいて同期する。
【００６３】
１４０において、第２の同期信号と指示情報とを送信し、ここで、当該指示情報が、当該同期ソースの第１の同期信号の取得方式を示すために用いられる。
【００６４】
選択肢として、同期ソース＃１は、第１の同期シーケンスとブロードキャストメッセージとを送信することができ、当該第１の同期シーケンスが当該第２の同期信号を含み、当該ブロードキャストメッセージが当該指示情報を示すために用いられる。選択肢として、第１の同期シーケンスが第２の同期シーケンスと同じであっても良い。
【００６５】
つまり、同期シーケンスは同期信号のみを含み、それに対して同期ソース＃１の同期信号の選択方式を示すには、ブロードキャストメッセージによって送信されて良く、例えば、同期ブロードキャストチャネルによってブロードキャストメッセージを送信する。
【００６６】
選択肢として、同期ソース＃１は、第２の同期シーケンスを送信することができ、当該第２の同期シーケンスが当該第２の同期信号、及び当該指示情報を含む。
【００６７】
つまり、同期シーケンスは、同期信号を搬送するためだけではなく、同期ソースの同期信号を選択する方式を示すことも可能である。
【００６８】
本発明の実施例に係る同期シーケンスは、同期装置がセルラーネットワークと衛星システムと同期するための同期シーケンスと、同期装置がセルラーネットワークと同期し、且つ衛星システムと同期しないための同期シーケンスと、同期装置が衛星信号と同期し、且つセルラーネットワークと同期しないための同期シーケンスと、同期ソース自身が送信する同期シーケンス（当該同期ソースがセルラーネットワークと同期しないだけではなく、衛星システムとも同期しない）との４種類シーケンスを含むことができる。
【００６９】
本発明の実施例において、同期シーケンス自身は、当該同期ソースがセルラーネットワーク及び／又は衛星システムと同期するか否かを示すことができる。
【００７０】
本発明の実施例に係る同期シーケンスも、衛星システムと直接同期するデバイスからの同期信号を含むシーケンスと、衛星システムと間接的に同期するデバイスからの同期信号を含むシーケンスの２種類のシーケンスを含むことができる。
【００７１】
選択肢として、本発明の実施例において、同期シーケンスは同期信号のみを搬送しても良い。
【００７２】
選択肢として、同期シーケンスは、同期信号を含むだけではなく、当該同期信号を送信する当該同期ソースが、セルラーネットワーク及び／又は衛星システムと直接又は間接的に同期するか否かを示すこともでき、即ち、同期装置が当該同期信号を利用してセルラーネットワーク及び／又は衛星システムとの直接的又は間接的な同期を実現することができるか否かを示す。
【００７３】
選択肢として、本発明の実施例において、ブロードキャスト信号を直接送信することができ、当該ブロードキャスト信号によって、同期信号を送信する同期ソースがセルラーネットワーク及び／又は衛星システムと直接又は間接的に同期するか否かを示し、同期装置が当該同期信号を利用してセルラーネットワーク及び／又は衛星システムとの直接的又は間接的な同期を実現することができるか否かを示す。
【００７４】
選択肢として、本発明の実施例において、デバイスがセルラーネットワークと同期するだけではなく、衛星システムとも同期するのは、セルラーネットワークにおけるネットワークデバイスは、衛星システムと同期すると指すことができる。
【００７５】
選択肢として、本発明の実施例において、方法１００に基づいて同期信号を送信する以外に、同期信号はその他の送信元もある。
【００７６】
例えば、ネットワークデバイス＃２も同期信号を送信することができ、ネットワークデバイスが同期信号を送信する時に、ネットワークデバイスの同期信号の選択方式を示すための指示情報を送信しない。
【００７７】
例えば、端末デバイス＃３が、いずれの外部同期ソースも発見していないが、衛星システムとの直接同期が可能であり、この時に、端末デバイス＃３が、ネットワークデバイスのカバレッジ範囲内に位置しないが、衛星信号を受信することができる場合、当該端末デバイスは衛星システムと同期し、同期信号を送信し、自身がセルラーネットワークと同期せず、衛星システムと同期することを示す。当該端末デバイスは、自身が如何に同期信号を選択するかに関する指示情報を送信しない。
【００７８】
例えば、端末デバイス＃４は、いずれの外部同期ソースも発見せず、しかも衛星信号を受信することができず、この時に、端末デバイス＃４がセルラーネットワークのカバレッジ範囲内に位置せず、しかも衛星信号を受信することができない場合、当該端末デバイスは、自ら同期信号を生成し、自身がセルラーネットワークと同期していないだけではなく、衛星システムとも同期していないことを示す。当該端末デバイスは、自身が如何に同期信号を選択するかに関する指示情報を送信しない。選択肢として、上記の同期ソース＃１は、端末デバイス、例えば、車載デバイスであっても良い。上記の端末デバイス＃３と端末デバイス＃４とは車載デバイスであっても良い。
【００７９】
上記において各同期ソース（方式１００を実現する同期ソース＃１、ネットワークデバイス＃２、端末デバイス＃３及び端末デバイス＃４を含む）がいかに同期信号を送信しているかを説明しており、下記において、同期装置が同期ソースからの同期信号を受信した後に、如何に同期ソースを選択して同期するかを説明する。ここで、同期装置は、車載デバイスであっても良い。
【００８０】
選択肢として、同期方法２００は、同期装置がセルラーネットワークのカバレッジ範囲内に位置し、又はネットワークカバレッジ範囲内でネットワークデバイスからの指示情報を受信してから、非ネットワークカバレッジ範囲内に移動する場面に適用することができる。同期方法３００は、同期装置がセルラーネットワークにカバレッジ範囲内に位置しない場面に適用することができる。
【００８１】
図２は、本発明の実施例による同期方法２００の概略的なフローチャートである。
【００８２】
２１０において、同期装置は、ネットワークデバイスから送信された指示情報を受信し、当該指示情報は、当該同期装置の同期ソースの選択方式を示すために用いられ、当該方式が、第１の方式又は第２の方式又は第３の方式である。
【００８３】
ここで、当該第１の方式が、第１の優先度順序に基づいて同期信号を選択する方式であり、当該第２の方式が、第２の優先度順序に基づいて同期信号を選択する方式であり、当該第３の方式が、第１の優先度順序と第２の優先度順序とに基づいて同期信号を選択する方式であり、ここで、当該第１の優先度順序が、同期信号とセルラーネットワークとの相関性に基づいて、同期信号に対して順序付けたものであり、当該第２の優先度順序が、同期信号と衛星システムとの相関性に基づいて、同期信号に対して順序付けたものである。
【００８４】
２２０において、当該指示情報に基づいて、同期装置は、ターゲット同期ソースを選択する。
【００８５】
選択肢として、当該指示情報に示されたのが当該第１の方式である時に、当該同期装置がセルラーネットワークと相関する同期信号が受信できない場合、当該同期装置は、第２の方式に基づいてターゲット同期ソースを選択する。
【００８６】
選択肢として、当該指示情報に示されたのが当該第２の方式である時に、当該同期装置が指定時間内で衛星システムと相関する同期信号が受信できていない場合、当該同期装置は、第１の方式に基づいてターゲット同期ソースを選択する。
【００８７】
つまり、同期装置がセルラーネットワークのカバレッジ範囲内に位置する時に、第１の方式又は第２の方式に基づいてターゲット同期ソースを選択して同期するように設定されることができる。同期装置が第１の方式を利用してターゲット同期ソースを選択するように設定された時に、第１の予め設定された時間内でセルラーネットワークに相関する同期信号が受信していない場合、第２の方式によってターゲット同期ソースを選択し、一旦セルラーネットワークに相関する同期信号を発見した場合、第１の方式を再度採用してターゲット同期ソースを選択する。同期装置が第２の方式を利用してターゲット同期ソースを選択するように設定された時に、第２の予め設定された時間内で衛星システムと相関する同期信号を受信していない場合、第１の方式に基づいてターゲット同期ソースを選択し、一旦衛星システムと相関する同期信号を発見した場合、第２の方式を再度採用してターゲット同期ソースを選択する。
【００８８】
選択肢として、第１の予め設定された時間は、第２の予め設定された時間と等しくても良く、又は等しくなくても良い。
【００８９】
選択肢として、当該第１の優先度順序は、直接のネットワークデバイスからの同期信号＞ネットワークデバイスと直接同期する端末デバイスからの同期信号＞ネットワークデバイスと間接的に同期する端末デバイスからの同期信号を含む。
【００９０】
当該第１の優先度順序の中で、セルラーネットワークから直接獲得する同期信号ほど、優先度が高い。同期信号が毎回転送される時に、一定の誤差が累計され、転送の回数が多ければ多いほど、累計される同期誤差が大きくなり、同期の精度も劣るためである。
【００９１】
選択肢として、第２の優先度順序は、衛星システム＞衛星システムと直接同期する端末デバイスからの同期信号＞衛星システムと間接的に同期する端末デバイスからの同期信号を含む。
【００９２】
当該第２の優先度順序の中で、衛星システムから直接獲得する同期信号ほど、優先度が高い。同期信号が毎回転送される時に、一定の誤差が累計され、転送の回数が多ければ多いほど、累計される同期誤差が大きくなり、同期の精度も劣るためであり、そのため、衛星システムから直接獲得する同期信号ほど、優先度が高い。
【００９３】
選択肢として、第３の方式において、前記第１の優先度順序内の同期信号の優先度は、前記第２の優先度順序内の同期信号の優先度より高く、例えば、直接のネットワークデバイスからの同期信号＞ネットワークデバイスと直接同期する端末デバイスからの同期信号＞ネットワークデバイスと間接的に同期する端末デバイスからの同期信号＞直接の衛星システムからの同期信号＞衛星システムと直接同期する端末デバイスからの同期信号＞衛星システムと間接的に同期する端末デバイスからの同期信号である。
【００９４】
選択肢として、第３の方式において、前記第２の優先度順序内の同期信号の優先度は、前記第１の優先度順序内の同期信号の優先度より高く、例えば、直接の衛星システムからの同期信号＞衛星システムと直接同期する端末デバイスからの同期信号＞衛星システムと間接的に同期する端末デバイスからの同期信号＞直接のネットワークデバイスからの同期信号＞ネットワークデバイスと直接同期する端末デバイスからの同期信号＞ネットワークデバイスと間接的に同期する端末デバイスからの同期信号である。
【００９５】
図３は、本発明の実施例による同期方式３００の概略的なフローチャートである。
【００９６】
３１０において、同期装置は、同期信号を送信する少なくとも一つの同期ソースを確定する。
【００９７】
３２０において、当該少なくとも一つの同期ソースが少なくとも一つの第１の同期ソースを含む場合、各当該第１の同期ソースの同期信号の選択方式に基づいて、当該少なくとも一つの第１の同期ソースから、ターゲット同期ソースを選択し、ここで、当該第１の同期ソースの同期信号の選択方式が、第１の方式又は第２の方式を含み、当該第１の方式が、第１の優先度順序に基づいて同期信号を選択する方式であり、当該第２の方式が、第２の優先度順序に基づいて同期信号を選択する方式であり、ここで、当該第１の優先度順序が、同期信号とセルラーネットワークとの相関性に基づいて、同期信号に対して順序付けたものであり、当該第２の優先度順序が、同期信号と衛星システムとの相関性に基づいて、同期信号に対して順序付けたものである。
【００９８】
３３０において、当該ターゲット同期ソースと同期する。
【００９９】
選択肢として、第１の優先度順序は、直接のネットワークデバイスからの同期信号＞ネットワークデバイスと直接同期する端末デバイスからの同期信号＞ネットワークデバイスと間接的に同期する端末デバイスからの同期信号を含む。
【０１００】
選択肢として、第２の優先度順序は、衛星システムに生成された同期信号＞衛星システムと直接同期する端末デバイスからの同期信号＞衛星システムと間接的に同期する端末デバイスからの同期信号を含む。
【０１０１】
選択肢として、方法３００における同期装置は、二つの通信場面があり得る。第１の通信場面において、当該同期装置がセルラーネットワークのカバレッジ範囲内に位置しないが、衛星システムから送信された衛星信号を受信することができる。第２の通信場面において、当該同期装置がセルラーネットワークのカバレッジ範囲内に位置せず、衛星システムから送信された衛星信号も受信できない。下記において、この二つの場面を結合して、如何に同期方式３００を実現するかを詳しく説明する。
【０１０２】
第１の通信場面
同期装置は、当該少なくとも一つの第１の同期ソースの同期信号の選択方式が同じであるか否かを確定し、当該少なくとも一つの第１の同期ソースが同期信号を選択する方式が同じであるか否かに基づいて、当該少なくとも一つの第１の同期ソースから、当該ターゲット同期ソースを選択する。
【０１０３】
例えば、各々の当該第１の同期ソースの同期信号の選択方式が同じである場合、当該同期装置は、第３の優先度順序に基づいて、当該ターゲット同期ソースを選択し、ここで、当該第３の優先度順序は、セルラーネットワークと衛星システムと同時に同期する同期ソース＞衛星システムと同期する同期ソース＞ネットワークデバイスと同期する同期ソースを含む。
【０１０４】
上記の第３の優先度順序の中で、各々の第１の同期ソースが選択する同期信号が同じである場合、セルラーネットワークと衛星システムと同時に同期する同期ソースの優先度を一番高いものとする。このようにセルラーネットワークへの干渉の減少とセルラーネットワークカバレッジ範囲外の同期の保持を両方考慮することができ、同時に考慮することができない場合、衛星システムとの同期を優先的に保障することで、セルラーネットワークカバレッジ範囲外の同期を保持することができ、そのため、衛星システムと同期する同期ソースの優先度が、セルラーネットワークの同期ソースの優先度より大きい。例えば、当該少なくとも一つの第１の同期ソースの同期信号の選択方式が異なる場合、当該同期装置は、第４の優先度順序に基づいて、当該ターゲット同期ソースを選択し、ここで、当該第４の優先度順序は、第１の方式に基づいて同期信号を選択し、しかもネットワークデバイスと衛星システムと同時に同期する同期ソース＞第２の方式に基づいて同期信号を選択し、しかもネットワークデバイスと衛星システムと同時に同期する同期ソース＞第２の方式に基づいて同期信号を選択し、しかも衛星システムと同期する同期ソース＞第１の方式に基づいて同期信号を選択し、しかもネットワークデバイスと同期する同期ソースと含む。
【０１０５】
選択肢として、当該第１の同期ソースの信号強度は第１の閾値以上である。つまり、第１の同期ソースは、第１の方式又は第２の方式に基づいて、同期信号を選択する必要があるだけではなく、それの送信する同期信号の強度も第１の閾値より大きいである必要がある。当該第１の閾値は実際状況に応じて設定しても良い。
【０１０６】
選択肢として、同期装置に提供される同期信号を受信することができる同期ソースのすべてが、第１の方式又は第２の方式に基づいて、同期ソースを選択することを指示していない場合、又は提供される同期信号の強度が全部第１の閾値より低い場合、当該同期装置は、衛星システムと同期しても良い。
【０１０７】
第２の通信場面
同期装置は、当該少なくとも一つの第１の同期ソースの同期信号の選択方式が同じであるか否かを確定し、当該少なくとも一つの第１の同期ソースの同期信号の選択方式が同じであるか否かに基づいて、当該少なくとも一つの第１の同期ソースから、当該ターゲット同期ソースを選択する。
【０１０８】
例えば、当該少なくとも一つの第１の同期ソースの同期信号の選択方式が同じである場合、当該同期装置は、第５の優先度順序に基づいて、当該ターゲット同期ソースを選択し、ここで、当該第５の優先度順序は、ネットワークデバイスと衛星システムと同時に同期する同期ソース＞ネットワークデバイスと同期する同期ソース＞衛星システムと同期する同期ソースを含む。
【０１０９】
例えば、当該少なくとも一つの第１の同期ソースの同期信号の選択方式が異なる場合、当該同期装置は、第６の優先度順序に基づいて、当該ターゲット同期ソースを選択し、ここで、当該第６の優先度順序は、第１の方式に基づいて同期信号を選択し、しかもネットワークデバイスと衛星システムと同時に同期する同期ソース＞第１の方式に基づいて同期信号を選択し、しかもネットワークデバイスと同期する同期ソース＞第２の方式に基づいて同期信号を選択し、しかもネットワークデバイスと衛星システムと同時に同期する同期ソース＞第２の方式に基づいて同期信号を選択し、しかも衛星システムと同期する同期ソースを含む。
【０１１０】
選択肢として、当該第１の同期ソースの信号強度は第２の閾値以上である。つまり、第１の同期ソースは、第１の方式又は第２の方式に基づいて同期信号を選択する必要があるだけではなく、それの送信する同期信号の強度も第２の閾値より大きいである必要がある。当該第２の閾値は実際状況に応じて設定することが可能である。
【０１１１】
選択肢として、同期装置に提供される同期信号を受信することができる同期ソースのすべてが、第１の方式又は第２の方式に基づいて、同期ソースを選択することを指示していない場合、又は提供される同期信号の強度が全部第２の閾値より低い場合、当該同期装置は、それの提供される同期信号を受信することができる同期ソースの中に、少なくとも一つの第２の同期ソースが存在しているか否かを確定することができ、当該第２の同期ソースの信号強度が第２の閾値より小さく且つ第３の閾値以上であり、第７の優先度順序に基づいて、当該少なくとも一つの第２の同期ソースから、ターゲット同期ソースを選択し、ここで、当該第７の優先度順序は、
衛星システムと同期する同期ソース＞衛星システムとネットワークデバイスのいずれも同期しない同期ソースを含む。
【０１１２】
選択肢として、それの提供される同期信号を受信することができる同期ソースに提供される同期信号のすべてが第３の閾値より小さい場合、当該同期装置は、自身が同期信号を送信することができ、またＧＮＳＳ又はセルラーネットワークと同期しないように自身を設定する。
【０１１３】
図４は、本発明の実施例による同期装置４００の概略的なブロック図である。図４に示すよう、当該同期装置４００は、確定ユニット４１０、選択ユニット４２０、及び同期ユニット４３０を含み、確定ユニット４１０は、同期信号を送信する少なくとも一つの同期ソースを確定するように構成され、選択ユニット４２０は、当該少なくとも一つの同期ソースが少なくとも一つの第１の同期ソースを含む場合、各々の当該第１の同期ソースの同期信号の選択方式に基づいて、当該少なくとも一つの第１の同期ソースから、ターゲット同期ソースを選択するように構成され、ここで、当該第１の同期ソースの同期信号の選択方式が、第１の方式又は第２の方式を含み、当該第１の方式が、第１の優先度順序に基づいて同期信号を選択する方式であり、当該第２の方式が、第２の優先度順序に基づいて同期信号を選択する方式であり、ここで、当該第１の優先度順序が、同期信号とセルラーネットワークとの相関性に基づいて、同期信号に対して順序付けたものであり、当該第２の優先度順序が、同期信号と衛星システムとの相関性に基づいて、同期信号に対して順序付けたものであり、同期ユニット４３０は、当該ターゲット同期ソースと同期するように構成される。
【０１１４】
選択肢として、第１の優先度順序は、直接のネットワークデバイスからの同期信号＞ネットワークデバイスと直接同期する端末デバイスからの同期信号＞ネットワークデバイスと間接的に同期する端末デバイスからの同期信号を含む。
【０１１５】
選択肢として、第２の優先度順序は、直接の衛星システムからの同期信号＞衛星システムと直接同期する端末デバイスからの同期信号＞衛星システムと間接的に同期する端末デバイスからの同期信号を含む。
【０１１６】
選択肢として、第１の同期シーケンスは、当該衛星システムと直接同期する端末デバイスからの同期信号を含み、ここで、当該第１の同期シーケンスが、当該第１の同期シーケンスを送信する端末デバイスが衛星システムと直接同期することを示すためにさらに用いられ、又は、当該第１の同期シーケンスを送信する端末デバイスが、ブロードキャスト信号を介して、自身が衛星システムと直接同期することを示し、及び／又は、第２の同期シーケンスが、当該衛星システムと間接的に同期する端末デバイスからの同期信号を含み、ここで、当該第２の同期シーケンスが、当該第２の同期シーケンスを送信する端末デバイスが衛星システムと間接的に同期することを示すためにさらに用いられ、又は、当該第２の同期シーケンスを送信する端末デバイスが、ブロードキャスト信号を介して、自身が衛星システムと間接的に同期することを示す。
【０１１７】
選択肢として、当該同期装置４００がセルラーネットワークのカバレッジ範囲内に位置しておらず、しかも衛星信号を受信することが可能であり、当該選択ユニット４２０は、具体的に、当該少なくとも一つの第１の同期ソースの同期信号の選択方式が同じであるか否かを確定し、当該少なくとも一つの第１の同期ソースの同期信号の選択方式が同じであるか否かに基づいて、当該少なくとも一つの第１の同期ソースから、当該ターゲット同期ソースを選択するように構成される。
【０１１８】
選択肢として、当該同期装置４００がセルラーネットワークのカバレッジ範囲内に位置しておらず、しかも衛星信号を受信することが可能であり、当該選択ユニット４２０は、具体的に、各々の当該第１の同期ソースの同期信号の選択方式が同じである場合、第３の優先度順序に基づいて当該ターゲット同期ソースを選択するように構成され、ここで、当該第３の優先度順序は、セルラーネットワークと衛星システムと同時に同期する同期ソース＞衛星システムと同期する同期ソース＞ネットワークデバイスと同期する同期ソースを含む。
【０１１９】
選択肢として、当該同期装置４００がセルラーネットワークのカバレッジ範囲内に位置しておらず、しかも衛星信号を受信することが可能であり、当該選択ユニット４２０は、具体的に、当該少なくとも一つの第１の同期ソースの同期信号の選択方式が異なる場合、第４の優先度順序に基づいて、当該ターゲット同期ソースを選択するように構成され、ここで、当該第４の優先度順序は、当該第１の方式に基づいて同期信号を選択し、しかもネットワークデバイスと衛星システムと同時に同期する同期ソース＞当該第２の方式に基づいて同期信号を選択し、しかもネットワークデバイスと衛星システムと同時に同期する同期ソース＞当該第２の方式に基づいて同期信号を選択し、しかも衛星システムと同期する同期ソース＞当該第１の方式に基づいて同期信号を選択し、しかもネットワークデバイスと同期する同期ソースを含む。
【０１２０】
選択肢として、当該第１の同期ソースの信号強度は第１の閾値以上である。
【０１２１】
選択肢として、当該同期ユニット４３０は、当該少なくとも一つの同期ソースが当該第１の同期ソースを含まない場合、衛星システムと同期するようにさらに構成される。
【０１２２】
選択肢として、当該同期装置がセルラーネットワークのカバレッジ範囲内に位置しておらず、しかも衛星信号を受信することが不可能であり、当該選択ユニット４２０は、具体的に、当該少なくとも一つの第１の同期ソースの同期信号の選択方式が同じであるか否かを確定し、当該少なくとも一つの第１の同期ソースの同期信号の選択方式が同じであるか否かに基づいて、当該少なくとも一つの第１の同期ソースから、当該ターゲット同期ソースを選択するように構成される。
【０１２３】
選択肢として、当該同期装置がセルラーネットワークのカバレッジ範囲内に位置しておらず、しかも衛星信号を受信することが不可能であり、当該選択ユニット４２０は、具体的に、当該少なくとも一つの第１の同期ソースの同期信号の選択方式が同じである場合、第５の優先度順序に基づいて、当該ターゲット同期ソースを選択するように構成され、ここで、当該第５の優先度順序は、ネットワークデバイスと衛星システムと同時に同期する同期ソース＞ネットワークデバイスと同期する同期ソース＞衛星システムと同期する同期ソースを含む。
【０１２４】
選択肢として、当該同期装置がセルラーネットワークのカバレッジ範囲内に位置しておらず、しかも衛星信号を受信することが不可能であり、当該選択ユニット４２０は、具体的に、当該少なくとも一つの第１の同期ソースの同期信号の選択方式が異なる場合、第６の優先度順序に基づいて、当該ターゲット同期ソースを選択するように構成され、ここで、当該第６の優先度順序は、当該第１の方式に基づいて同期信号を選択し、しかもネットワークデバイスと衛星システムと同時に同期する同期ソース＞当該第１の方式に基づいて同期信号を選択し、しかもネットワークデバイスと同期する同期ソース＞当該第２の方式に基づいて同期信号を選択し、しかもネットワークデバイスと衛星システムと同時に同期する同期ソース＞当該第２の方式に基づいて同期信号を選択し、しかも衛星システムと同期する同期ソースを含む。
【０１２５】
選択肢として、当該第１の同期ソースの信号強度は第２の閾値以上である。
【０１２６】
選択肢として、当該選択ユニット４２０は、当該少なくとも一つの同期ソースが当該第１の同期ソースを含まず、且つ少なくとも一つの第２の同期ソースを含む場合、第７の優先度順序に基づいて、当該ターゲット同期ソースを選択するようにさらに構成され、当該第２の同期ソースの信号強度が第２の閾値より小さく且つ第３の閾値以上であり、ここで、当該第７の優先度順序は、衛星システムと同期する同期ソース＞衛星システムとネットワークデバイスのいずれも同期しない同期ソースを含む。
【０１２７】
選択肢として、当該衛星システムは全地球航法衛星システムＧＮＳＳであり、当該同期装置は車載デバイスである。
【０１２８】
選択肢として、当該少なくとも一つの同期ソースは、ネットワークデバイス、端末デバイス、及び衛星システムのうちの少なくとも一つを含む。
【０１２９】
選択肢として、当該同期装置４００は、方法３００の同期装置に対応することができ、当該同期装置の相応機能を実現することができ、簡潔上、ここで省略する。
【０１３０】
図５は、本発明の実施例による同期装置５００の概略的なブロック図である。図５に示すように、当該同期装置５００は、受信ユニット５１０、及び選択ユニット５２０を含み、受信ユニット５１０は、ネットワークデバイスより送信された指示情報を受信するために構成され、当該指示情報が、当該同期装置の同期ソースの選択方式を示すために用いられ、当該方式が、第１の方式又は第２の方式又は第３の方式であり、当該第１の方式が、第１の優先度順序に基づいて同期信号を選択する方式であり、当該第２の方式が、第２の優先度順序に基づいて同期信号を選択する方式であり、当該第３の方式が、第１の優先度順序と第２の優先度順序とに基づいて同期信号を選択する方式であり、ここで、当該第１の優先度順序が、同期信号とセルラーネットワークとの相関性に基づいて、同期信号に対して順序付けたものであり、当該第２の優先度順序が、同期信号と衛星システムとの相関性に基づいて、同期信号に対して順序付けたものであり、選択ユニット５２０は、当該指示情報に基づいて、ターゲット同期ソースを選択するように構成される。
【０１３１】
選択肢として、当該選択ユニット５２０は、具体的に、当該指示情報が当該第１の方式を示す場合、当該受信ユニットがセルラーネットワーク信号と相関する同期信号が受信できない場合、当該選択ユニット第２の方式に基づいてターゲット同期ソースを選択し、又は、当該指示情報が当該第２の方式を示す場合、当該受信ユニットが衛星システムと相関する同期信号が受信できない場合、当該選択ユニット第１の方式に基づいてターゲット同期ソースを選択するように構成される。
【０１３２】
選択肢として、当該選択ユニット５２０は、具体的に、当該受信ユニットが第１の予め設定された時間内でセルラーネットワーク信号と相関する同期信号が受信できない場合、当該第２の方式に基づいて、ターゲット同期ソースを選択し、又は、当該受信ユニットが第２の予め設定された時間内で衛星システムと相関する同期信号が受信できない場合、第１の方式に基づいてターゲット同期ソースを選択するように構成される。
【０１３３】
選択肢として、当該第１の優先度順序は、直接のネットワークデバイスからの同期信号＞ネットワークデバイスと直接同期する端末デバイスからの同期信号＞ネットワークデバイスと間接的に同期する端末デバイスからの同期信号を含む。
【０１３４】
選択肢として、第２の優先度順序は、衛星システムに生成された同期信号＞衛星システムと直接同期する端末デバイスからの同期信号＞衛星システムと間接的に同期する端末デバイスからの同期信号を含む。
【０１３５】
選択肢として、当該第３の方式において、当該第１の優先度順序内の同期信号の優先度が当該第２の優先度順序内の同期信号の優先度より高く、又は、当該第２の優先度順序内の同期信号の優先度が当該第１の優先度順序内の同期信号の優先度より高い。
【０１３６】
選択肢として、当該同期装置５００は、方法２００の同期装置に対応することができ、当該同期装置の相応機能を実現することができ、簡潔上、ここで省略する。
【０１３７】
図６は、本発明の実施例による同期ソース６００の概略的なブロック図である。図６に示すように、当該同期ソース６００は、確定ユニット６１０、取得ユニット６２０、同期ユニット６３０、及び送信ユニット６４０を含み、確定ユニット６１０は、取得ユニット６２０が同期信号を取得するための方式を確定するように構成され、取得ユニットが同期信号を取得する方式が、第１の方式又は第２の方式を含み、当該第１の方式が、第１の優先度順序に基づいて同期信号を選択する方式であり、当該第２の方式が、第２の優先度順序に基づいて同期信号を選択する方式であり、ここで、当該第１の優先度順序が、同期信号とセルラーネットワークとの相関性に基づいて、同期信号に対して順序付けたものであり、当該第２の優先度順序が、同期信号と衛星システムとの相関性に基づいて、同期信号に対して順序付けたものであり、取得ユニット６２０は、当該確定ユニット６１０で確定された同期信号の取得のための方式に基づいて、第１の同期信号を取得するように構成され、同期ユニット６３０は、当該第１の同期信号に基づいて同期するように構成され、送信ユニット６４０は、第２の同期信号と指示情報とを送信するように構成され、ここで、当該指示情報が、当該同期ソースの第１の同期信号の取得方式を示すために用いられる。
【０１３８】
選択肢として、当該送信ユニット６４０は、具体的に、第１の同期シーケンスによって実現される第２の同期信号を送信し、ブロードキャスト情報を送信するように構成され、当該ブロードキャスト情報が当該指示情報を示すために用いられる。
【０１３９】
選択肢として、当該同期ソース６００は、衛星システムと直接同期するデバイスであり、当該第１の同期シーケンスは、当該送信ユニット６４０で送信される当該第２の同期信号を含むシーケンスであり、又は、当該同期ソース６００は、衛星システムと間接的に同期するデバイスであり、当該第１の同期シーケンスは、当該送信ユニット６４０で送信される当該第２の同期信号を含むシーケンスである。
【０１４０】
選択肢として、当該送信ユニット６４０は、具体的に、第２の同期シーケンスを送信するように構成され、当該第２の同期シーケンスが当該第２の同期信号、及び当該指示情報を含む。
【０１４１】
選択肢として、当該同期ソース６００は、衛星システムと直接同期するデバイスであり、当該第２の同期シーケンスは、当該送信ユニット６４０で送信される当該第２の同期信号を含むシーケンスであり、又は
当該同期ソース６００は、衛星システムと間接的に同期するデバイスであり、当該第２の同期シーケンスは、当該送信ユニット６４０で送信される当該第２の同期信号を含むシーケンスである。
【０１４２】
選択肢として、当該第１の優先度順序は、直接のネットワークデバイスからの同期信号＞ネットワークデバイスと直接同期する端末デバイスからの同期信号＞ネットワークデバイスと間接的に同期する端末デバイスからの同期信号を含む。
【０１４３】
選択肢として、当該第２の優先度順序は、衛星システムに生成された同期信号＞衛星システムと直接同期する端末デバイスからの同期信号＞衛星システムと間接的に同期する端末デバイスからの同期信号を含む。
【０１４４】
選択肢として、当該確定ユニット６１０は、具体的に、ネットワークデバイスの指示に基づいて、同期信号の取得のための方式を確定するように構成される。
【０１４５】
選択肢として、当該同期ソース６００は、方法１００の同期ソースに対応することができ、当該同期ソースの相応機能を実現することができ、簡潔上、ここで省略する。
【０１４６】
図７は、本発明の実施例による同期装置７００の概略的なブロック図である。当該同期装置７００は、プロセッサ７１０と記憶装置７２０とを含む。記憶装置７２０は、プログラム命令を記憶するように構成される。プロセッサ７１０は、記憶装置７２０に記憶されるプログラム命令を呼び出すように構成される。当該同期装置７００は、対外的に通信するための送受信装置７３０と、プロセッサ７１０、記憶装置７２０及び送受信装置７３０を接続し合うバスシステム７４０とをさらに含む。
【０１４７】
プロセッサ７１０は、記憶装置７２０に記憶されている命令を呼び出し、同期信号を送信する少なくとも一つの同期ソースを確定することと、当該少なくとも一つの同期ソースが少なくとも一つの第１の同期ソースを含む場合、各々の当該第１の同期ソースの同期信号の選択方式に基づいて、当該少なくとも一つの第１の同期ソースから、ターゲット同期ソースを選択することと、当該ターゲット同期ソースと同期することと、を実行するように構成され、
ここで、当該第１の同期ソースの同期信号の選択方式が、第１の方式又は第２の方式を含み、当該第１の方式が、第１の優先度順序に基づいて同期信号を選択する方式であり、当該第２の方式が、第２の優先度順序に基づいて同期信号を選択する方式であり、ここで、当該第１の優先度順序が、同期信号とセルラーネットワークとの相関性に基づいて、同期信号に対して順序付けたものであり、当該第２の優先度順序が、同期信号と衛星システムとの相関性に基づいて、同期信号に対して順序付けたものである。
【０１４８】
選択肢として、第１の優先度順序は、直接のネットワークデバイスからの同期信号＞ネットワークデバイスと直接同期する端末デバイスからの同期信号＞ネットワークデバイスと間接的に同期する端末デバイスからの同期信号を含む。
【０１４９】
選択肢として、第２の優先度順序は、直接の衛星システムからの同期信号＞衛星システムと直接同期する端末デバイスからの同期信号＞衛星システムと間接的に同期する端末デバイスからの同期信号を含む。
【０１５０】
選択肢として、第１の同期シーケンスは、当該衛星システムと直接同期する端末デバイスからの同期信号を含み、ここで、当該第１の同期シーケンスが、当該第１の同期シーケンスを送信する端末デバイスが衛星システムと直接同期することを示すためにさらに用いられ、又は、当該第１の同期シーケンスを送信する端末デバイスが、ブロードキャスト信号を介して、自身が衛星システムと直接同期することを示し、及び／又は、第２の同期シーケンスが、当該衛星システムと間接的に同期する端末デバイスからの同期信号を含み、ここで、当該第２の同期シーケンスが、当該第２の同期シーケンスを送信する端末デバイスが衛星システムと間接的に同期することを示すためにさらに用いられ、又は、当該第２の同期シーケンスを送信する端末デバイスが、ブロードキャスト信号を介して、自身が衛星システムと間接的に同期することを示す。
【０１５１】
選択肢として、当該同期装置７００がセルラーネットワークのカバレッジ範囲内に位置しておらず、しかも衛星信号を受信することが可能であり、プロセッサ７１０は、記憶装置７２０に記憶される命令を呼び出し、
当該少なくとも一つの第１の同期ソースの同期信号の選択方式が同じであるか否かを確定することと、当該少なくとも一つの第１の同期ソースの同期信号の選択方式が同じであるか否かに基づいて、当該少なくとも一つの第１の同期ソースから、当該ターゲット同期ソースを選択することと、を実行するように構成される。
【０１５２】
選択肢として、当該同期装置７００がセルラーネットワークのカバレッジ範囲内に位置しておらず、しかも衛星信号を受信することが可能であり、プロセッサ７１０は、記憶装置７２０に記憶される命令を呼び出し、各々の当該第１の同期ソースの同期信号の選択方式が同じである場合、当該同期装置第３の優先度順序に基づいて当該ターゲット同期ソースを選択することを実行するように構成され、ここで、当該第３の優先度順序は、セルラーネットワークと衛星システムと同時に同期する同期ソース＞衛星システムと同期する同期ソース＞ネットワークデバイスと同期する同期ソースを含む。
【０１５３】
選択肢として、当該同期装置７００がセルラーネットワークのカバレッジ範囲内に位置しておらず、しかも衛星信号を受信することが可能であり、プロセッサ７１０は、記憶装置７２０に記憶される命令を呼び出し、当該少なくとも一つの第１の同期ソースの同期信号の選択方式が異なる場合、当該同期装置第４の優先度順序に基づいて、当該ターゲット同期ソースを選択することを実行するように構成され、ここで、当該第４の優先度順序は、当該第１の方式に基づいて同期信号を選択し、しかもネットワークデバイスと衛星システムと同時に同期する同期ソース＞当該第２の方式に基づいて同期信号を選択し、しかもネットワークデバイスと衛星システムと同時に同期する同期ソース＞当該第２の方式に基づいて同期信号を選択し、しかも衛星システムと同期する同期ソース＞当該第１の方式に基づいて同期信号を選択し、しかもネットワークデバイスと同期する同期ソースを含む。
【０１５４】
選択肢として、当該第１の同期ソースの信号強度は第１の閾値以上である。
【０１５５】
選択肢として、プロセッサ７１０は記憶装置７２０に記憶される命令を呼び出し、当該少なくとも一つの同期ソースが当該第１の同期ソースを含まない場合、衛星システムと同期することを実行するように構成される。
【０１５６】
選択肢として、当該同期装置がセルラーネットワークのカバレッジ範囲内に位置しておらず、しかも衛星信号を受信することが不可能であり、プロセッサ７１０は、記憶装置７２０に記憶される命令を呼び出し、当該少なくとも一つの第１の同期ソースの同期信号の選択方式が同じであるか否かを確定することと、当該少なくとも一つの第１の同期ソースの同期信号の選択方式が同じであるか否かに基づいて、当該少なくとも一つの第１の同期ソースから、当該ターゲット同期ソースを選択することとを実行するように構成される。
【０１５７】
選択肢として、当該同期装置がセルラーネットワークのカバレッジ範囲内に位置しておらず、しかも衛星信号を受信することが不可能であり、プロセッサ７１０は記憶装置７２０に記憶される命令を呼び出し、当該少なくとも一つの第１の同期ソースの同期信号の選択方式が同じである場合、当該同期装置第５の優先度順序に基づいて、当該ターゲット同期ソースを選択することを実行するように構成され、ここで、当該第５の優先度順序は、ネットワークデバイスと衛星システムと同時に同期する同期ソース＞ネットワークデバイスと同期する同期ソース＞衛星システムと同期する同期ソースを含む。
【０１５８】
選択肢として、当該同期装置がセルラーネットワークのカバレッジ範囲内に位置しておらず、しかも衛星信号を受信することが不可能であり、プロセッサ７１０は、記憶装置７２０に記憶される命令を呼び出し、当該少なくとも一つの第１の同期ソースの同期信号の選択方式が異なる場合、当該同期装置第６の優先度順序に基づいて、当該ターゲット同期ソースを選択することを実行するように構成され、ここで、当該第６の優先度順序は、当該第１の方式に基づいて同期信号を選択し、しかもネットワークデバイスと衛星システムと同時に同期する同期ソース＞当該第１の方式に基づいて同期信号を選択し、しかもネットワークデバイスと同期する同期ソース＞当該第２の方式に基づいて同期信号を選択し、しかもネットワークデバイスと衛星システムと同時に同期する同期ソース＞当該第２の方式に基づいて同期信号を選択し、しかも衛星システムと同期する同期ソースを含む。
【０１５９】
選択肢として、当該第１の同期ソースの信号強度は第２の閾値以上である。
【０１６０】
プロセッサ７１０は、記憶装置７２０に記憶される命令を呼び出し、当該少なくとも一つの同期ソースが当該第１の同期ソースを含まず、且つ少なくとも一つの第２の同期ソースを含む場合、第７の優先度順序に基づいて、当該ターゲット同期ソースを選択することを実行するように構成され、当該第２の同期ソースの信号強度が第２の閾値より小さく且つ第３の閾値以上であり、ここで、当該第７の優先度順序は、衛星システムと同期する同期ソース＞衛星システムとネットワークデバイスのいずれも同期しない同期ソースを含む。
【０１６１】
選択肢として、当該衛星システムは全地球航法衛星システムＧＮＳＳであり、当該同期装置６００は車載デバイスである。
【０１６２】
選択肢として、当該少なくとも一つの同期ソースは、ネットワークデバイス、端末デバイス、及び衛星システムのうちの少なくとも一つを含む。
【０１６３】
選択肢として、当該同期装置７００は、方法３００の同期装置に対応することができ、当該同期装置の相応機能を実現することができ、簡潔上、ここで省略する。
【０１６４】
図８は、本発明の実施例による同期装置８００の概略的なブロック図である。当該同期装置８００は、プロセッサ８１０と記憶装置８２０とを含む。記憶装置８２０は、プログラム命令を記憶するように構成される。プロセッサ８１０は、記憶装置８２０に記憶されるプログラム命令を呼び出すように構成される。当該同期装置８００は、対外的に通信するための送受信装置８３０と、プロセッサ８１０、記憶装置８２０及び送受信装置８３０を接続し合うバスシステム８４０をさらに含む。
【０１６５】
プロセッサ８１０は、記憶装置８２０に記憶される命令を呼び出し、送受信装置８３０を利用してネットワークデバイスから送信された指示情報を受信することと、当該指示情報に基づいて、ターゲット同期ソースを選択することとを実行するように構成され、当該指示情報が、当該同期装置の同期ソースの選択方式を示すために用いられ、当該方式が、第１の方式又は第２の方式又は第３の方式であり、当該第１の方式が、第１の優先度順序に基づいて同期信号を選択する方式であり、当該第２の方式が、第２の優先度順序に基づいて同期信号を選択する方式であり、当該第３の方式が、第１の優先度順序と第２の優先度順序とに基づいて同期信号を選択する方式であり、ここで、当該第１の優先度順序が、同期信号とセルラーネットワークとの相関性に基づいて、同期信号に対して順序付けたものであり、当該第２の優先度順序が、同期信号と衛星システムとの相関性に基づいて、同期信号に対して順序付けたものである。
【０１６６】
選択肢として、プロセッサ８１０は、記憶装置８２０に記憶される命令を呼び出し、当該指示情報が当該第１の方式を示す場合、当該送受信装置８３０がセルラーネットワーク信号と相関する同期信号が受信できない場合、第２の方式に基づいてターゲット同期ソースを選択すること、又は、当該指示情報が当該第２の方式を示す場合、当該送受信装置８３０が衛星システムと相関する同期信号が受信できない場合、第１の方式に基づいてターゲット同期ソースを選択することを実行するように構成される。
【０１６７】
選択肢として、プロセッサ８１０は、記憶装置８２０に記憶される命令を呼び出し、当該送受信装置８３０が第１の予め設定された時間内でセルラーネットワーク信号と相関する同期信号が受信できない場合、当該第２の方式に基づいて、ターゲット同期ソースを選択すること、又は、当該送受信装置８３０が第２の予め設定された時間内で衛星システムと相関する同期信号が受信できない場合、第１の方式に基づいてターゲット同期ソースを選択することを実行するように構成される。
【０１６８】
選択肢として、当該第１の優先度順序は、直接のネットワークデバイスからの同期信号＞ネットワークデバイスと直接同期する端末デバイスからの同期信号＞ネットワークデバイスと間接的に同期する端末デバイスからの同期信号を含む。
【０１６９】
選択肢として、第２の優先度順序は、衛星システムに生成された同期信号＞衛星システムと直接同期する端末デバイスからの同期信号＞衛星システムと間接的に同期する端末デバイスからの同期信号を含む。
【０１７０】
選択肢として、当該第３の方式において、当該第１の優先度順序内の同期信号の優先度は当該第２の優先度順序内の同期信号の優先度より高く、又は、当該第２の優先度順序内の同期信号の優先度は、当該第１の優先度順序内の同期信号の優先度より高い。
【０１７１】
選択肢として、当該同期装置８００は、方法２００の同期装置に対応することができ、当該同期装置の相応機能を実現することができ、簡潔上、ここで省略する。
【０１７２】
図９は、本発明の実施例による同期ソース９００の概略的なブロック図である。当該同期ソース９００は、プロセッサ９１０と記憶装置９２０とを含む。記憶装置９２０は、プログラム命令を記憶するように構成される。プロセッサ９１０は、記憶装置９２０に記憶されるプログラム命令を呼び出すように構成される。当該同期ソース９００は、対外的に通信するための送受信装置９３０と、プロセッサ９１０、記憶装置９２０及び送受信装置９３０を接続し合うバスシステム９４０とをさらに含む。
【０１７３】
プロセッサ９１０は、記憶装置９２０に記憶される命令を呼び出し、同期信号の取得のための方式を確定することと、確定した同期信号の取得のための方式に基づいて、第１の同期信号を取得することと、当該第１の同期信号に基づいて同期することと、送受信装置９３０を利用して第２の同期信号と指示情報とを送信することと、を実行するように構成され、
同期信号を取得する方式が、第１の方式又は第２の方式を含み、当該第１の方式が、第１の優先度順序に基づいて同期信号を選択する方式であり、当該第２の方式が、第２の優先度順序に基づいて同期信号を選択する方式であり、ここで、当該第１の優先度順序が、同期信号とセルラーネットワークとの相関性に基づいて、同期信号に対して順序付けたものであり、当該第２の優先度順序が、同期信号と衛星システムとの相関性に基づいて、同期信号に対して順序付けたものであり、
ここで、当該指示情報が、当該同期ソースの第１の同期信号の取得方式を示すために用いられる。
【０１７４】
選択肢として、プロセッサ９１０は、記憶装置９２０に記憶される命令を呼び出し、送受信装置９３０によって、第１の同期シーケンスによって実現される第２の同期信号を送信することと、送受信装置９３０によって、ブロードキャスト情報を送信することを実行するように構成され、当該ブロードキャスト情報が当該指示情報を示すために用いられる。
【０１７５】
選択肢として、当該同期ソースは衛星システムと直接同期するデバイスであり、当該第１の同期シーケンスは、当該送信装置９３０より送信される当該第２の同期信号を含むシーケンスであり、又は
当該同期ソースは衛星システムと間接的に同期するデバイスであり、当該第１の同期シーケンスは、当該送信装置９３０より送信される当該第２の同期信号を含むシーケンスである。
【０１７６】
選択肢として、プロセッサ９１０は、記憶装置９２０に記憶される命令を呼び出し、送受信装置９３０によって第２の同期シーケンスを送信することを実行するように構成され、当該第２の同期シーケンスが当該第２の同期信号、及び当該指示情報を含む。
【０１７７】
選択肢として、当該同期ソースは衛星システムと直接同期するデバイスであり、当該第２の同期シーケンスは、当該送信装置９３０より送信される当該第２の同期信号を含むシーケンスであり、又は当該同期ソースは衛星システムと間接的に同期するデバイスであり、当該第２の同期シーケンスは、当該送信装置９３０で送信される当該第２の同期信号を含むシーケンスである。
【０１７８】
選択肢として、当該第１の優先度順序は、直接のネットワークデバイスからの同期信号＞ネットワークデバイスと直接同期する端末デバイスからの同期信号＞ネットワークデバイスと間接的に同期する端末デバイスからの同期信号を含む。
【０１７９】
選択肢として、当該第２の優先度順序は、衛星システムに生成された同期信号＞衛星システムと直接同期する端末デバイスからの同期信号＞衛星システムと間接的に同期する端末デバイスからの同期信号を含む。
【０１８０】
選択肢として、プロセッサ９１０は記憶装置９２０に記憶される命令を呼び出し、ネットワークデバイスの指示に基づいて、当該同期ソースは、同期信号の取得のための方式を確定することを実行するように構成される。
【０１８１】
選択肢として、当該同期ソース９００は、方法１００の同期ソースに対応することができ、当該同期ソースの相応機能を実現することができ、簡潔上、ここで省略する。
【０１８２】
本願に開示されている実施例に説明されている各例示的なユニット及びアルゴリズムのステップを結合し、電子ハードウェア、又はコンピュータソフトウェアと電子ハードウェアの結合を用いて実現することができると、当業者であれば理解できる。これらの機能がハードウェアの形式かそれともソフトウェアの形式で実施するかについては、技術案の特定応用と設計制約によるものである。当業者は、各特定応用に応じて異なる方法を用いて、説明されている機能を実現することができるが、このような実現は本発明の範囲を超えていると見なすべきではない。
【０１８３】
当業者は、説明の便利と簡潔上、上記に記載されているシステム、装置及びユニットの具体的な動作については、上記の方法実施例の対応されているフローを参照することができ、ここでそれ以上述べない。
【０１８４】
本願に提供されている幾つかの実施例において、開示されているシステム、装置及び方法は、その他の方式で実現されても良い。例えば、上記に記載されている装置の実施例は単なる例示的なものに過ぎず、例えば、前記ユニットの分け方が、単なるロジック的な機能分けであり、実際、実現する時に他の分け方があっても良く、例えば、複数のユニット又はコンポーネントを別のシステムへ統合、又は集成しても良く、又は幾つかの技術特徴を省略、又は実施しなくても良い。また、明示され、又は議論されている各構成部分の互い的なカップリング、又は直接のカップリング、又は通信接続は、幾つかのインターフェース、装置、又はユニットの間接的なカップリング又は通信によって接続されても良く、電気的、機械的、又はその他の形式であっても良い。
【０１８５】
上記で分離コンポーネントとして説明したユニットは、物理的に分離されるものであっても良く、そうではないものであっても良い。ユニットとして示されるコンポーネントは物理ユニットであっても良く、そうではないものであっても良い。一箇所に配置されても良く、複数のネットワークユニットに配布しても良い。実際のニーズに応じて、その中の一部又は全部のユニットを選択して本実施例の技術案の目的を実現しても良い。
【０１８６】
また、本発明の各実施例における各機能ユニットは、一つの処理ユニットに統合しても良く、各ユニットはそれぞれ単独なユニットとしても良く、二つ又は二つ以上のユニットを一つのユニットに統合しても良い。
【０１８７】
前記機能は、ソフトウェア機能ユニットの方式で実現し、しかも独立な製品として販売又は使用する場合、コンピュータ読み取り可能の記憶媒体に記憶しても良い。これによって、本発明の技術案が事実上、言い換えれば先行技術に貢献した部分がソフトウェア製品の形で具現でき、該コンピュータソフトウェア製品は記憶媒体に記憶され、コンピュータ装置（パソコン、サーバ、またはネットワーク装置などであっても良い）に本発明の各実施例の全部または一部の前記方法を実行させるための複数の命令を含む。上記の記憶媒体は、ＵＳＢメモリ、移動記憶媒体、読み取り専用メモリ（ＲＯＭ：Ｒｅａｄ−Ｏｎｌｙ  Ｍｅｍｏｒｙ）、ランダムアクセス記憶装置（ＲＡＭ：Ｒａｎｄｏｍ  Ａｃｃｅｓｓ  Ｍｅｍｏｒｙ）、磁気ディスク又はコンパクトディスクなどの各種のプログラムコードが記憶できる媒体を含む。
【０１８８】
上記に記載されているのは、単なる本発明の具体的な実施形態に過ぎず、本発明はそれに限らず、当業者が本発明に開示されている範囲内において、容易に想到し得る変形又は入れ替えは、全て本発明の範囲内に含まれるべきである。そのため、本発明の範囲は、記載されている特許請求の範囲に準じるべきである。
【図１】
2019512899.tif 000003
【図２】
2019512899.tif 000004
【図３】
2019512899.tif 000005
【図４】
2019512899.tif 000006
【図５】
2019512899.tif 000007
【図６】
2019512899.tif 000008
【図７】
2019512899.tif 000009
【図８】
2019512899.tif 000010
【図９】
2019512899.tif 000011
【手続補正書】
【提出日】平成30年10月3日(2018.10.3)
【手続補正１】
【補正対象書類名】特許請求の範囲
【補正対象項目名】全文
【補正方法】変更
【補正の内容】
【特許請求の範囲】
【請求項１】
同期方法であって、
同期装置は、同期信号を送信する少なくとも一つの同期ソースを確定することと、
前記少なくとも一つの同期ソースが、少なくとも一つの第１の同期ソースを含む場合、各々の前記第１の同期ソースの同期信号の選択方式に基づいて、前記少なくとも一つの第１の同期ソースから、前記同期装置は、ターゲット同期ソースを選択することと、
前記同期装置は、前記ターゲット同期ソースと同期することと、
を含み、
ここで、前記第１の同期ソースの同期信号の選択方式が、第１の方式又は第２の方式を含み、前記第１の方式が、第１の優先度順序に基づいて同期信号を選択する方式であり、前記第２の方式が、第２の優先度順序に基づいて同期信号を選択する方式であり、ここで、前記第１の優先度順序が、同期信号とセルラーネットワークとの相関性に基づいて、同期信号に対して順序付けたものであり、前記第２の優先度順序が、同期信号と衛星システムとの相関性に基づいて、同期信号に対して順序付けたものである、
ことを特徴とする前記同期方法。
【請求項２】
第１の優先度順序は、
直接のネットワークデバイスからの同期信号＞ネットワークデバイスと直接同期する端末デバイスからの同期信号＞ネットワークデバイスと間接的に同期する端末デバイスからの同期信号、を含み、
第２の優先度順序は、
直接の衛星システムからの同期信号＞衛星システムと直接同期する端末デバイスからの同期信号＞衛星システムと間接的に同期する端末デバイスからの同期信号、を含む、
ことを特徴とする請求項１に記載の同期方法。
【請求項３】
第１の同期シーケンスは、前記衛星システムと直接同期する端末デバイスからの同期信号を含み、ここで、前記第１の同期シーケンスが、前記第１の同期シーケンスを送信する端末デバイスが衛星システムと直接同期することを示し、又は、前記第１の同期シーケンスを送信する端末デバイスが、ブロードキャスト信号を介して、自身が衛星システムと直接同期することを示すためにさらに用いられ、及び／又は、
第２の同期シーケンスは、前記衛星システムと間接的に同期する端末デバイスからの同期信号を含み、ここで、前記第２の同期シーケンスが、前記第２の同期シーケンスを送信する端末デバイスが衛星システムと間接的に同期することを示し、又は、前記第２の同期シーケンスを送信する端末デバイスが、ブロードキャスト信号を介して、自身が衛星システムと間接的に同期することを示すためにさらに用いられる、
ことを特徴とする請求項２に記載の同期方法。
【請求項４】
前記同期装置がセルラーネットワークのカバレッジ範囲内に位置しておらず、しかも衛星信号を受信することが可能であり、
前記少なくとも一つの第１の同期ソースから、前記同期装置が、ターゲット同期ソースを選択することは、
前記少なくとも一つの第１の同期ソースの同期信号の選択方式が同じであるか否かを確定することと、
前記少なくとも一つの第１の同期ソースの同期信号の選択方式が同じであるか否かに基づいて、前記少なくとも一つの第１の同期ソースから、前記ターゲット同期ソースを選択することと、
を含み、
前記少なくとも一つの第１の同期ソースの同期信号の選択方式が同じであるか否かに基づいて、前記少なくとも一つの第１の同期ソースから、前記ターゲット同期ソースを選択することは、
各々の前記第１の同期ソースの同期信号の選択方式が同じである場合、前記同期装置は、第３の優先度順序に基づいて前記ターゲット同期ソースを選択すること、
前記少なくとも一つの第１の同期ソースの同期信号の選択方式が同じではない場合、前記同期装置は、第４の優先度順序に基づいて、前記ターゲット同期ソースを選択することを含み、
ここで、前記第３の優先度順序が、
セルラーネットワークと衛星システムと同時に同期する同期ソース＞衛星システムと同期する同期ソース＞ネットワークデバイスと同期する同期ソース、を含み、
前記第４の優先度順序が、
前記第１の方式によって同期信号を選択し、しかもネットワークデバイスと衛星システムと同時に同期する同期ソース＞前記第２の方式によって同期信号を選択し、しかもネットワークデバイスと衛星システムと同時に同期する同期ソース＞前記第２の方式によって同期信号を選択し、しかも衛星システムと同期する同期ソース＞前記第１の方式によって同期信号を選択し、しかもネットワークデバイスと同期する同期ソース、を含む、
ことを特徴とする請求項１乃至３のいずれか１項に記載の同期方法。
【請求項５】
前記第１の同期ソースの信号強度は第１の閾値以上であり、
前記少なくとも一つの同期ソースが前記第１の同期ソースを含まない場合、前記同期装置は衛星システムと同期すること、をさらに含む、
ことを特徴とする請求項４に記載の同期方法。
【請求項６】
前記同期装置がセルラーネットワークのカバレッジ範囲内に位置しておらず、しかも衛星信号を受信することが不可能であり、
前記少なくとも一つの第１の同期ソースから、前記同期装置が、ターゲット同期ソースを選択することは、
前記少なくとも一つの第１の同期ソースの同期信号の選択方式が同じであるか否かを確定することと、
前記少なくとも一つの第１の同期ソースの同期信号の選択方式が同じであるか否かに基づいて、前記少なくとも一つの第１の同期ソースから、前記ターゲット同期ソースを選択することと、
を含み、
前記第１の同期ソースの同期信号の選択方式が同じであるか否かに基づいて、前記少なくとも一つの第１の同期ソースから、前記ターゲット同期ソースを選択することは、
前記少なくとも一つの第１の同期ソースの同期信号の選択方式が同じである場合、前記同期装置は、第５の優先度順序に基づいて、前記ターゲット同期ソースを選択することと、
前記少なくとも一つの第１の同期ソースの同期信号の選択方式が同じではない場合、前記同期装置は、第６の優先度順序に基づいて、前記ターゲット同期ソースを選択すること、を含み、
ここで、前記第５の優先度順序が、
ネットワークデバイスと衛星システムと同時に同期する同期ソース＞ネットワークデバイスと同期する同期ソース＞衛星システムと同期する同期ソースを含み、
ここで、前記第６の優先度順序は、
前記第１の方式によって同期信号を選択し、しかもネットワークデバイスと衛星システムと同時に同期する同期ソース＞前記第１の方式によって同期信号を選択し、しかもネットワークデバイスと同期する同期ソース＞前記第２の方式によって同期信号を選択し、しかもネットワークデバイスと衛星システムと同時に同期する同期ソース＞前記第２の方式によって同期信号を選択し、しかも衛星システムと同期する同期ソースを含む、
ことを特徴とする請求項１乃至３のいずれか１項に記載の同期方法。
【請求項７】
前記第１の同期ソースの信号強度は第２の閾値以上である、
ことを特徴とする請求項６に記載の同期方法。
【請求項８】
前記少なくとも一つの同期ソースが前記第１の同期ソースを含まず、且つ少なくとも一つの第２の同期ソースを含む場合、前記同期装置は、第７の優先度順序に基づいて、前記ターゲット同期ソースを選択することをさらに含み、前記第２の同期ソースの信号強度が第２の閾値より小さく且つ第３の閾値以上であり、
ここで、前記第７の優先度順序が、
衛星システムと同期する同期ソース＞衛星システムとネットワークデバイスのいずれも同期しない同期ソースを含む、
ことを特徴とする請求項７に記載の同期方法。
【請求項９】
前記少なくとも一つの同期ソースは、ネットワークデバイス、端末デバイス、及び衛星システムのうちの少なくとも一つを含む、
ことを特徴とする請求項１乃至８のいずれか１項に記載の同期方法。
【請求項１０】
同期方法であって、
同期装置は、ネットワークデバイスから送信された指示情報を受信することと、
前記同期装置は、前記指示情報に基づいて、ターゲット同期ソースを選択することと、を含み、
前記指示情報が、前記同期装置が同期ソースを選択する方式を示すために用いられ、前記方式が、第１の方式又は第２の方式又は第３の方式であり、
前記第１の方式が、第１の優先度順序に基づいて同期信号を選択する方式であり、前記第２の方式が、第２の優先度順序に基づいて同期信号を選択する方式であり、前記第３の方式が、第１の優先度順序と第２の優先度順序とに基づいて同期信号を選択する方式であり、ここで、前記第１の優先度順序が、同期信号とセルラーネットワークとの相関性に基づいて、同期信号に対して順序付けたものであり、前記第２の優先度順序が、同期信号と衛星システムとの相関性に基づいて、同期信号に対して順序付けたものである、
ことを特徴とする前記同期方法。
【請求項１１】
前記同期装置が、前記指示情報に基づいて、ターゲット同期ソースを選択することは、
前記指示情報に前記第１の方式が示される時に、前記同期装置がセルラーネットワーク信号と相関する同期信号が受信できない場合、前記同期装置は、第２の方式に基づいてターゲット同期ソースを選択すること、又は
前記指示情報に前記第２の方式が示される時に、前記同期装置が、衛星システムと相関する同期信号が受信できない場合、前記同期装置は、第１の方式に基づいてターゲット同期ソースを選択すること、
を含み、
前記同期装置がセルラーネットワーク信号と相関する同期信号が受信できない場合、前記同期装置が、第２の方式に基づいてターゲット同期ソースを選択することは、前記同期装置が、第１の予め設定された時間内でセルラーネットワーク信号と相関する同期信号が受信されていない場合、前記同期装置は、前記第２の方式に基づいてターゲット同期ソースを選択することを含み、又は、
前記同期装置が、衛星システムと相関する同期信号が受信できない場合、前記同期装置は、第１の方式に基づいてターゲット同期ソースを選択することは、前記同期装置が、第２の予め設定された時間内で衛星システムと相関する同期信号が受信されない場合、前記同期装置は、第１の方式に基づいてターゲット同期ソースを選択することを含む、
ことを特徴とする請求項１７に記載の同期方法。
【請求項１２】
前記第１の優先度順序は、
直接のネットワークデバイスからの同期信号＞ネットワークデバイスと直接同期する端末デバイスからの同期信号＞ネットワークデバイスと間接的に同期する端末デバイスからの同期信号、を含み、
第２の優先度順序は、
衛星システムに生成された同期信号＞衛星システムと直接同期する端末デバイスからの同期信号＞衛星システムと間接的に同期する端末デバイスからの同期信号、を含む、
ことを特徴とする請求項１１に記載の同期方法。
【請求項１３】
前記第３の方式において、
前記第１の優先度順序内の同期信号の優先度は、前記第２の優先度順序内の同期信号の優先度より高く、又は
前記第２の優先度順序内の同期信号の優先度は、前記第１の優先度順序内の同期信号の優先度より高い、
ことを特徴とする請求項１０乃至１２のいずれか１項に記載の同期方法。
【請求項１４】
同期装置であって、
請求項１乃至９のいずれか１項又は、請求項１０乃至１３のいずれか１項に記載の同期方法を実現するように構成されるプロセッサと、
前記プロセッサで実行する命令を記憶するように構成されるメモリと、を含む、
ことを特徴とする前記同期装置。
【請求項１５】
コンピュータ読み取り可能な媒体であって、
プロセッサによって実行される、請求項１乃至９のいずれか１項又は、請求項１０乃至１３のいずれか１項に記載の同期方法を実現する命令、
を記憶する、
ことを特徴とする前記コンピュータ読み取り可能な媒体。
【国際調査報告】
2019512899.tif 000012
2019512899.tif 000013
2019512899.tif 000014
2019512899.tif 000015